(57)【要約】  【課題】  良好な光学性能を保持しつつ量産性やコスト面で有利であり、しかも大画面で光学部品のコンパクトな投影光学系を提供する。  【解決手段】  パネル表示面Ｓｏの画像をスクリーン面Ｓｉ上に斜め拡大投影する投影光学系であって、曲面反射面Ｍ１〜Ｍ４と収差補正屈折面Ｓ４，Ｓ７を有する。最も拡大側に位置する曲面光学面Ｓ１０が反射面であり、縮小側から数えて最初の凸面反射面Ｓ６より拡大側の光路上に位置する収差補正屈折面Ｓ７が、条件式：1.1＜Lr／La＜2(パネル表示面の画面中心から瞳の中心を通ってスクリーン面の画面中心に到達する光線を基準光線とすると、La：基準光線に沿ってパネル表示面から瞳までの距離、Lr：基準光線に沿ってパネル表示面から収差補正屈折面までの距離である。)を満たす。【選択図】      図１
2006178406.tif 000002
【特許請求の範囲】
【請求項１】
パネル表示面の画像をスクリーン面上に斜め拡大投影する投影光学系であって、複数の曲面反射面と少なくとも１つの収差補正屈折面とを有し、前記収差補正屈折面のうちの少なくとも１つが以下の条件式(1b)を満たし、かつ、縮小側から数えて最初の凸面反射面より拡大側の光路上に位置し、最も拡大側に位置する曲面光学面が反射面であることを特徴とする投影光学系；
1.1＜Lr／La＜2  …(1b)
ただし、パネル表示面の画面中心から瞳の中心を通ってスクリーン面の画面中心に到達する光線を基準光線とすると、
La：基準光線に沿ってパネル表示面から瞳までの距離、
Lr：基準光線に沿ってパネル表示面から収差補正屈折面までの距離、
である。
【請求項２】
前記曲面反射面を少なくとも４面有し、そのうち、縮小側から数えて３つ目の曲面反射面を第３曲面反射面とし、縮小側から数えて４つ目の曲面反射面を第４曲面反射面とすると、以下の条件式(4)を満たすことを特徴とする請求項１記載の投影光学系；
0.8＜H4／H3＜2  …(4)
ただし、
H3：第３曲面反射面に対して基準光線が成す入射光線及び反射光線を含む平面において、第３曲面反射面の有効領域の上限の点から下限の点までの直線距離、
H4：第４曲面反射面に対して基準光線が成す入射光線及び反射光線を含む平面において、第４曲面反射面の有効領域の上限の点から下限の点までの直線距離、
である。
【請求項３】
前記複数の曲面反射面のうち、最も縮小側の曲面反射面を第１曲面反射面とし、縮小側から数えて２つ目の曲面反射面を第２曲面反射面とすると、前記第１，第２曲面反射面のうちの少なくとも１つが球面形状を有することを特徴とする請求項１又は２記載の投影光学系。
【請求項４】
前記複数の曲面反射面のうち、縮小側から数えて３つ目の曲面反射面を第３曲面反射面とし、縮小側から数えて４つ目の曲面反射面を第４曲面反射面とすると、前記第３，第４曲面反射面のうちの少なくとも１つが回転非対称な自由曲面形状を有することを特徴とする請求項３記載の投影光学系。
【請求項５】
前記収差補正屈折面を有し、かつ、以下の条件式(2)を満たす透過型光学素子を少なくとも１つ備えることを特徴とする請求項１〜４のいずれか１項に記載の投影光学系；
dmax／dmin＜1.5  …(2)
ただし、透過型光学素子を通過する任意の光線に沿った方向において、
dmax：透過型光学素子の縮小側面から拡大側面までの距離の最大値、
dmin：透過型光学素子の縮小側面から拡大側面までの距離の最小値、
である。
【請求項６】
前記収差補正屈折面のうちの少なくとも１つが以下の条件式(3)を満たすことを特徴とする請求項１〜５のいずれか１項に記載の投影光学系；
5＜θ＜50  …(3)
ただし、パネル表示面の画面中心から瞳の中心を通ってスクリーン面の画面中心に到達する光線を基準光線とすると、
θ：基準光線が収差補正屈折面と交わる点において、基準光線と収差補正屈折面の法線とが成す角度(°)、
である。
【請求項７】
前記複数の曲面反射面のうち、最も縮小側の曲面反射面を第１曲面反射面とし、縮小側から数えて２つ目の曲面反射面を第２曲面反射面とし、縮小側から数えて３つ目の曲面反射面を第３曲面反射面とすると、前記第１曲面反射面が光束の入射側に向けて凹面形状を成し、前記第２曲面反射面が光束の入射側に向けて凸面形状を成し、前記第３曲面反射面が光束の入射側に向けて凹面形状を成すことを特徴とする請求項１〜６のいずれか１項に記載の投影光学系。
【発明の詳細な説明】
【技術分野】
【０００１】
本発明は投影光学系に関するものであり、例えば、デジタル・マイクロミラー・デバイス(digital micromirror device)やＬＣＤ(liquid crystal display)を表示素子とするプロジェクタに搭載され、表示素子のパネル表示面の画像をスクリーン面上に斜め拡大投影する投影光学系に関するものである。
【背景技術】
【０００２】
近年、デジタル・マイクロミラー・デバイスやＬＣＤを表示素子とした高性能かつ低価格なプロジェクタが普及しつつある。なかでも、狭い室内でもスペースを取らないリアプロジェクタでは、その構造上、薄型・軽量の要求が高まっており、コンパクトでより広角な投影光学系が要求されている。広角な投影光学系としては、曲面反射面のみを用いた斜め投影光学系が特許文献１，２で提案されている。また、特許文献３，４では曲面反射面と屈折面を用いた光学系が提案されている。
【特許文献１】特開２００２−４０３２６号公報
【特許文献２】特開２００１−２２１９４９号公報
【特許文献３】特開平１０−６８８８７号公報
【特許文献４】特開２０００−３５２６６８号公報
【発明の開示】
【発明が解決しようとする課題】
【０００３】
しかし、特許文献１で提案されている投影光学系は、収差補正作用を４面の曲面反射面のみに持たせているため、広画角な投影光学系として用いる場合、広画角化に伴い発生する収差を補正するために、その曲面反射面を有する曲面反射ミラー、とりわけ最も拡大側に位置する曲面反射ミラーを大きくせざるを得ない。そのため、量産性やコスト面、さらには製品の小型化に不利となる。また、特許文献２で提案されている投影光学系には自由曲面から成る曲面反射面が多く用いられているが、自由曲面の金型製作，成形，評価，調整等は回転対称非球面や球面に比べて一般に困難である。このため、光学的に感度の高い光学面に自由曲面を多用すると、量産性の低下を招くおそれがある。特許文献３で提案されている光学系は、自由曲面プリズムのみで構成されている。その最終光学面は屈折面であるため、広画角な投影光学系として用いる場合、そのサイズはかなり大きなものになると考えられる。したがって、高い精度での成型は極めて困難になる。特許文献４で提案されている光学系では、収差補正面が絞り近傍にのみ設置されている。このため、広画角な光学系で特に顕著に発生する歪曲収差、像面湾曲や非点収差に対する補正効果は小さく、ミラーサイズの小型化にはつながらない。また、反射面として球面や回転対称非球面しか用いられていないため、広画角で高性能な投影光学系を実現することは極めて困難である。
【０００４】
本発明はこのような状況に鑑みてなされたものであって、その目的は、良好な光学性能を保持しつつ量産性やコスト面で有利であり、しかも大画面で光学部品のコンパクトな投影光学系を提供することにある。
【課題を解決するための手段】
【０００５】
上記目的を達成するために、第１の発明の投影光学系は、パネル表示面の画像をスクリーン面上に斜め拡大投影する投影光学系であって、複数の曲面反射面と少なくとも１つの収差補正屈折面とを有し、前記収差補正屈折面のうちの少なくとも１つが以下の条件式(1b)を満たし、かつ、縮小側から数えて最初の凸面反射面より拡大側の光路上に位置し、最も拡大側に位置する曲面光学面が反射面であることを特徴とする。
1.1＜Lr／La＜2  …(1b)
ただし、パネル表示面の画面中心から瞳の中心を通ってスクリーン面の画面中心に到達する光線を基準光線とすると、
La：基準光線に沿ってパネル表示面から瞳までの距離、
Lr：基準光線に沿ってパネル表示面から収差補正屈折面までの距離、
である。
【０００６】
第２の発明の投影光学系は、上記第１の発明において、前記曲面反射面を少なくとも４面有し、そのうち、縮小側から数えて３つ目の曲面反射面を第３曲面反射面とし、縮小側から数えて４つ目の曲面反射面を第４曲面反射面とすると、以下の条件式(4)を満たすことを特徴とする。
0.8＜H4／H3＜2  …(4)
ただし、
H3：第３曲面反射面に対して基準光線が成す入射光線及び反射光線を含む平面において、第３曲面反射面の有効領域の上限の点から下限の点までの直線距離、
H4：第４曲面反射面に対して基準光線が成す入射光線及び反射光線を含む平面において、第４曲面反射面の有効領域の上限の点から下限の点までの直線距離、
である。
【０００７】
第３の発明の投影光学系は、上記第１又は第２の発明において、前記複数の曲面反射面のうち、最も縮小側の曲面反射面を第１曲面反射面とし、縮小側から数えて２つ目の曲面反射面を第２曲面反射面とすると、前記第１，第２曲面反射面のうちの少なくとも１つが球面形状を有することを特徴とする。
【０００８】
第４の発明の投影光学系は、上記第３の発明において、前記複数の曲面反射面のうち、縮小側から数えて３つ目の曲面反射面を第３曲面反射面とし、縮小側から数えて４つ目の曲面反射面を第４曲面反射面とすると、前記第３，第４曲面反射面のうちの少なくとも１つが回転非対称な自由曲面形状を有することを特徴とする。
【０００９】
第５の発明の投影光学系は、上記第１〜第４のいずれか１つの発明において、前記収差補正屈折面を有し、かつ、以下の条件式(2)を満たす透過型光学素子を少なくとも１つ備えることを特徴とする。
dmax／dmin＜1.5  …(2)
ただし、透過型光学素子を通過する任意の光線に沿った方向において、
dmax：透過型光学素子の縮小側面から拡大側面までの距離の最大値、
dmin：透過型光学素子の縮小側面から拡大側面までの距離の最小値、
である。
【００１０】
第６の発明の投影光学系は、上記第１〜第５のいずれか１つの発明において、前記収差補正屈折面のうちの少なくとも１つが以下の条件式(3)を満たすことを特徴とする。
5＜θ＜50  …(3)
ただし、パネル表示面の画面中心から瞳の中心を通ってスクリーン面の画面中心に到達する光線を基準光線とすると、
θ：基準光線が収差補正屈折面と交わる点において、基準光線と収差補正屈折面の法線とが成す角度(°)、
である。
【００１１】
第７の発明の投影光学系は、上記第１〜第６のいずれか１つの発明において、前記複数の曲面反射面のうち、最も縮小側の曲面反射面を第１曲面反射面とし、縮小側から数えて２つ目の曲面反射面を第２曲面反射面とし、縮小側から数えて３つ目の曲面反射面を第３曲面反射面とすると、前記第１曲面反射面が光束の入射側に向けて凹面形状を成し、前記第２曲面反射面が光束の入射側に向けて凸面形状を成し、前記第３曲面反射面が光束の入射側に向けて凹面形状を成すことを特徴とする。
【発明の効果】
【００１２】
本発明によれば、収差補正屈折面や曲面反射面が効果的に配置されているため、良好な光学性能を保持しつつ量産性やコスト面で有利であって、しかも大画面で光学部品のコンパクトな投影光学系を実現することができる。そして、本発明に係る投影光学系をリアプロジェクタ，フロントプロジェクタ等の画像投影装置に用いれば、その薄型・軽量・コンパクト化，低コスト化，高性能化，高機能化等に寄与することができる。
【発明を実施するための最良の形態】
【００１３】
以下、本発明に係る投影光学系の実施の形態等を、図面を参照しつつ説明する。図１〜図６，図１５に、投影光学系の第１〜第７の実施の形態におけるパネル表示面Ｓｏからスクリーン面Ｓｉまでの投影光路全体の光学構成(光学配置，投影光路等)を、パネル表示面Ｓｏの画面長辺方向に沿って見たときの光学断面でそれぞれ示す。つまり、パネル表示面Ｓｏの法線方向をx方向とし、パネル表示面Ｓｏの画面短辺方向をy方向とし、パネル表示面Ｓｏの画面長辺方向をz方向とする直交座標系(x,y,z)において、図１〜図６，図１５は各実施の形態における投影光路全体の光学構成を直交座標系(x,y,z)におけるxy断面で示している。なお、図１〜図６，図１５中、＊印が付された光学面は回転対称な非球面、＄印が付された光学面は回転非対称な非球面(いわゆる自由曲面)であることを示している。
【００１４】
第１〜第７の実施の形態は、パネル表示面Ｓｏの画像をスクリーン面Ｓｉ上に斜め拡大投影する、画像投影装置用の斜め投影光学系である。したがって、パネル表示面Ｓｏは光強度の変調等により２次元画像を形成する表示素子の画像形成面に相当し、スクリーン面Ｓｉはその投影像面に相当する。パネル表示面Ｓｏの近傍には表示素子のカバーガラスＣＧが位置しており、各実施の形態では表示素子としてデジタル・マイクロミラー・デバイス(digital micromirror device)を想定している。ただし、表示素子はこれに限らず、各実施の形態の投影光学系に適した他の非発光・反射型(又は透過型)の表示素子(例えば液晶表示素子)を用いても構わない。表示素子としてデジタル・マイクロミラー・デバイスを用いた場合、それに入射した光は、ＯＮ／ＯＦＦ状態(例えば±１２°の傾き状態)の各マイクロミラーで反射されることにより空間的に変調される。その際、ＯＮ状態のマイクロミラーで反射した光のみが投影光学系に入射してスクリーン面Ｓｉに投射される。なお、上記表示素子の代わりに自発光型表示素子を用いてもよい。映像表示素子として自発光型表示素子を用いれば、照明用の光源等が不要となるため、光学構成をより軽量で小型にすることができる。
【００１５】
各実施の形態の光学構成の上下配置は、図１〜図６，図１５に示されているものに限らず、上下反対でもよい。つまり、実際の装置配置や光学系配置等の都合に合わせて、図１〜図６，図１５における上側を下側としてもなんら問題はない。また、第１〜第５，第７の実施の形態では天井の平面ミラーＭＦで光路を折り曲げてスクリーン面Ｓｉに画像投影する構成になっているが、平面反射面での光路折り曲げはそのようなパターンに限るものではない。例えば、図１３に示す平面ミラーＭＦでの１回折りの光路折り返しパターンや図１４に示す平面ミラーＭＦ１，ＭＦ２での２回折りの光路折り返しパターン等を採用してもよい。つまり、いずれの投影光学系においても、図１３や図１４に示すように光路を前後に折り返すパターン、光路を左右に折り返すパターン等を適用することが可能である。
【００１６】
各実施の形態の投影光学系は、縮小側のパネル表示面Ｓｏから拡大側のスクリーン面Ｓｉへの斜め方向の拡大投影を行う、背面投写型画像投影装置(リアプロジェクタ)に適した光学構成を有しているが、スクリーン面Ｓｉ側からパネル表示面Ｓｏ側への斜め方向の縮小投影を行う斜め投影光学系として、画像読み取り装置に用いることも可能である。その場合、パネル表示面Ｓｏは画像読み取り用の受光素子(例えばＣＣＤ：Charge Coupled Device)の受光面に相当し、スクリーン面Ｓｉは読み取り画像面(例えば原稿面)に相当する。また、いずれの実施の形態も、拡大側のスクリーン面Ｓｉに到達する直前の反射面が平面反射面であるので、それを構成している平面ミラーＭＦを取り除き、その結果得られるスクリーン面Ｓｉの位置(つまり、平面反射面に対するスクリーン面Ｓｉのミラーイメージ位置)にスクリーンを配置すれば、前面投写型画像投影装置(フロントプロジェクタ)としての使用も可能である。そして、そのような形態における縮小光学系としても利用可能である。
【００１７】
第１〜第７の実施の形態には、反射型光学素子と透過型光学素子とが用いられている。反射型光学素子としては、曲面反射面を有する曲面ミラーと平面反射面を有する平面ミラーとが用いられているが、用いる反射型光学素子はミラー類に限らず、例えば曲面反射面や平面反射面を有するプリズム類を用いてもよい。また、複数の反射面を有する１つ又は複数の反射型光学素子を用いてもよく、反射面，屈折面，回折面，又はそれらを組み合わせて有する光学素子を用いてもよい。透過型光学素子としては、曲面屈折面を有する屈折レンズが用いられているが、用いる透過型光学素子は入射光線を屈折作用により偏向させる屈折型レンズ(つまり、異なる屈折率を有する媒質同士の界面で偏向が行われるタイプのレンズ)に限らない。例えば、回折作用により入射光線を偏向させる回折型レンズ，回折作用と屈折作用との組み合わせで入射光線を偏向させる屈折・回折ハイブリッド型レンズ，入射光線を媒質内の屈折率分布により偏向させる屈折率分布型レンズ等を用いてもよい。以下に、各実施の形態の光学構成を更に詳しく説明する。
【００１８】
第１の実施の形態(図１)では、パネル表示面Ｓｏからスクリーン面Ｓｉへの投影光路に沿って順に、カバーガラスＣＧと、球面から成る曲面反射面Ｓ３を有する第１曲面ミラーＭ１と、縮小側面Ｓ４が回転対称非球面から成り拡大側面Ｓ５が平面から成る略ノンパワーの回転対称非球面レンズＬ１と、回転対称非球面から成る曲面反射面Ｓ６を有する第２曲面ミラーＭ２と、縮小側面Ｓ７が回転非対称自由曲面から成り拡大側面Ｓ８が平面から成る略ノンパワーの回転非対称自由曲面レンズＬ２と、回転非対称自由曲面から成る曲面反射面Ｓ９を有する第３曲面ミラーＭ３と、回転非対称自由曲面から成る曲面反射面Ｓ１０を有する第４曲面ミラーＭ４と、光路折り返し用の平面反射面Ｓ１１を有する平面ミラーＭＦと、が配置されている。
【００１９】
第２の実施の形態(図２)では、パネル表示面Ｓｏからスクリーン面Ｓｉへの投影光路に沿って順に、カバーガラスＣＧと、球面から成る曲面反射面Ｓ３を有する第１曲面ミラーＭ１と、縮小側面Ｓ４が回転非対称自由曲面から成り拡大側面Ｓ５が平面から成る略ノンパワーの回転非対称自由曲面レンズＬ１と、球面から成る曲面反射面Ｓ６を有する第２曲面ミラーＭ２と、縮小側面Ｓ７が回転非対称自由曲面から成り拡大側面Ｓ８が平面から成る略ノンパワーの回転非対称自由曲面レンズＬ２と、回転非対称自由曲面から成る曲面反射面Ｓ９を有する第３曲面ミラーＭ３と、回転非対称自由曲面から成る曲面反射面Ｓ１０を有する第４曲面ミラーＭ４と、光路折り返し用の平面反射面Ｓ１１を有する平面ミラーＭＦと、が配置されている。
【００２０】
第３の実施の形態(図３)では、パネル表示面Ｓｏからスクリーン面Ｓｉへの投影光路に沿って順に、カバーガラスＣＧと、球面から成る曲面反射面Ｓ３を有する第１曲面ミラーＭ１と、球面から成る曲面反射面Ｓ４を有する第２曲面ミラーＭ２と、縮小側面Ｓ５が回転非対称自由曲面から成り拡大側面Ｓ６が平面から成る略ノンパワーの回転非対称自由曲面レンズＬ１と、縮小側面Ｓ７が回転非対称自由曲面から成り拡大側面Ｓ８が平面から成る略ノンパワーの回転非対称自由曲面レンズＬ２と、回転非対称自由曲面から成る曲面反射面Ｓ９を有する第３曲面ミラーＭ３と、回転非対称自由曲面から成る曲面反射面Ｓ１０を有する第４曲面ミラーＭ４と、光路折り返し用の平面反射面Ｓ１１を有する平面ミラーＭＦと、が配置されている。
【００２１】
第４の実施の形態(図４)では、パネル表示面Ｓｏからスクリーン面Ｓｉへの投影光路に沿って順に、カバーガラスＣＧと、球面から成る曲面反射面Ｓ３を有する第１曲面ミラーＭ１と、球面から成る曲面反射面Ｓ４を有する第２曲面ミラーＭ２と、縮小側面Ｓ５及び拡大側面Ｓ６が回転非対称自由曲面から成る略ノンパワーの回転非対称自由曲面レンズＬ１と、回転非対称自由曲面から成る曲面反射面Ｓ７を有する第３曲面ミラーＭ３と、回転非対称自由曲面から成る曲面反射面Ｓ８を有する第４曲面ミラーＭ４と、光路折り返し用の平面反射面Ｓ９を有する平面ミラーＭＦと、が配置されている。
【００２２】
第５の実施の形態(図５)では、パネル表示面Ｓｏからスクリーン面Ｓｉへの投影光路に沿って順に、カバーガラスＣＧと、縮小側面Ｓ３が回転非対称自由曲面から成り拡大側面Ｓ４が平面から成る略ノンパワーの回転非対称自由曲面レンズＬ１と、球面から成る曲面反射面Ｓ５を有する第１曲面ミラーＭ１と、縮小側面Ｓ６が回転非対称自由曲面から成り拡大側面Ｓ７が平面から成る略ノンパワーの回転非対称自由曲面レンズＬ２と、球面から成る曲面反射面Ｓ８を有する第２曲面ミラーＭ２と、回転非対称自由曲面から成る曲面反射面Ｓ９を有する第３曲面ミラーＭ３と、回転非対称自由曲面から成る曲面反射面Ｓ１０を有する第４曲面ミラーＭ４と、光路折り返し用の平面反射面Ｓ１１を有する平面ミラーＭＦと、が配置されている。
【００２３】
第６の実施の形態(図６)では、パネル表示面Ｓｏからスクリーン面Ｓｉへの投影光路に沿って順に、カバーガラスＣＧと、球面から成る曲面反射面Ｓ３を有する第１曲面ミラーＭ１と、縮小側面Ｓ４が回転非対称自由曲面から成り拡大側面Ｓ５が平面から成る略ノンパワーの回転非対称自由曲面レンズＬ１と、球面から成る曲面反射面Ｓ６を有する第２曲面ミラーＭ２と、縮小側面Ｓ７が回転非対称自由曲面から成り拡大側面Ｓ８が平面から成る略ノンパワーの回転非対称自由曲面レンズＬ２と、回転非対称自由曲面から成る曲面反射面Ｓ９を有する第３曲面ミラーＭ３と、回転非対称自由曲面から成る曲面反射面Ｓ１０を有する第４曲面ミラーＭ４と、光路折り返し用の平面反射面Ｓ１１を有する平面ミラーＭＦと、が配置されている。
【００２４】
第７の実施の形態(図１５)では、パネル表示面Ｓｏからスクリーン面Ｓｉへの投影光路に沿って順に、カバーガラスＣＧと、球面から成る曲面反射面Ｓ３を有する第１曲面ミラーＭ１と、縮小側面Ｓ４が回転非対称自由曲面から成り拡大側面Ｓ５が平面から成る略ノンパワーの回転非対称自由曲面レンズＬ１と、回転対称非球面から成る曲面反射面Ｓ６を有する第２曲面ミラーＭ２と、縮小側面Ｓ７が回転非対称自由曲面から成り拡大側面Ｓ８が平面から成る略ノンパワーの回転非対称自由曲面レンズＬ２と、回転非対称自由曲面から成る曲面反射面Ｓ９を有する第３曲面ミラーＭ３と、回転非対称自由曲面から成る曲面反射面Ｓ１０を有する第４曲面ミラーＭ４と、光路折り返し用の平面反射面Ｓ１１を有する平面ミラーＭＦと、が配置されている。
【００２５】
いずれの実施の形態においても、回転対称な非球面形状又は回転非対称な自由曲面形状を有する屈折面(レンズＬ１，Ｌ２)が、収差補正のために用いられている。屈折面を有する透過型光学素子は、その相対的な屈折率の低さから、反射型光学素子よりも一般的に誤差感度が低いため、製造や調整が容易である。したがって、パワーを有する反射型光学素子の他に透過型光学素子に収差補正能力を持たせると、製造難易度が低くなりコスト低減が可能になる。この効果を得るために、収差補正機能を有する透過型光学素子を少なくとも１つ有することが好ましい。さらに、回転対称な非球面形状又は回転非対称な自由曲面形状を透過型光学素子に持たせることにより、誤差感度は低いままで収差補正効果をより高くすることができ、それを略ノンパワーにすることで更に誤差感度を低減することができる。また、各実施の形態のような広角の偏芯光学系においては、回転非対称な収差を補正することによって光学性能をより一層良好にすることができる。したがって、透過型光学素子は回転非対称な自由曲面から成る屈折面を収差補正屈折面として少なくとも１面有することが好ましい。
【００２６】
収差補正のための光学面を効果的に配置することは、広画角化，コンパクト化等とのバランスをとりながら高性能化を達成する上で重要である。この観点から、パネル表示面の画像をスクリーン面上に斜め拡大投影する投影光学系においては、複数の曲面反射面と少なくとも１つの収差補正屈折面とを有し、前記収差補正屈折面のうちの少なくとも１つが以下の条件式(1a),(1b)のいずれかを満たし、最も拡大側に位置する曲面光学面が反射面であることが望ましい。
0＜Lr／La＜0.8  …(1a)
1.1＜Lr／La＜2  …(1b)
ただし、パネル表示面の画面中心から瞳の中心を通ってスクリーン面の画面中心に到達する光線を基準光線とすると、
La：基準光線に沿ってパネル表示面から瞳までの距離、
Lr：基準光線に沿ってパネル表示面から収差補正屈折面までの距離、
である。
【００２７】
条件式(1a),(1b)は、収差補正屈折面の配置について好ましい条件範囲を規定している(なお、基準とする瞳位置は主光線の集光位置に相当する。)。この条件範囲を外れる収差補正屈折面が投影光学系内に存在していても構わないが、広画角な光学系で特に顕著に発生する歪曲収差、像面湾曲や非点収差を軽減するには、条件式(1a),(1b)のいずれかを満たす収差補正屈折面が少なくとも１つ存在することが好ましい。つまり、基準光線(パネル表示面の画面中心から瞳の中心を通ってスクリーン面の画面中心に到達する光線)に垂直な面上において、各像高から出た光線の主光線が散らばるような位置に収差補正屈折面を配置することが好ましい。条件式(1a),(1b)のいずれかを満たす収差補正屈折面を使用することにより、歪曲収差、像面湾曲や非点収差を適切に補正することができ、広画角化に伴い発生する収差を補正するために大きくせざるを得ない最終光学部品(つまり最も拡大側に位置する曲面を有する光学部品)のサイズを小さく抑えることができる。それにより、光学部品のコストダウンの面で大きな効果が得られ、同時に投影光学系全体のサイズもコンパクトにすることができる。また、最も拡大側に位置する曲面光学面を反射面にすることにより、広画角化が達成しやすくなる。
【００２８】
条件式(1a)の上限又は条件式(1b)の下限を越えると、広画角化に伴い発生する歪曲収差、像面湾曲や非点収差を補正する効果は極めて小さくなり、最終光学部品のサイズを抑えることができなくなる。また、条件式(1b)の上限を越えると、収差補正を投影光学系全体で効率良く行う上で不利になるだけでなく、収差補正屈折面を有する透過型光学素子の径の増大につながり、加工・コストの面でも不利になる。
【００２９】
また、パネル表示面の画像をスクリーン面上に斜め拡大投影する投影光学系においては、複数の曲面反射面(少なくとも１つの凸面反射面を含む。)と少なくとも１つの収差補正屈折面とを有し、前記収差補正屈折面のうちの少なくとも１つが前記条件式(1b)を満たし、かつ、縮小側から数えて最初の凸面反射面より拡大側の光路上に位置し、最も拡大側に位置する曲面光学面が反射面であることが更に望ましい。これを更に詳しく説明する。
【００３０】
瞳から離れた位置(つまり、各像高から射出した主光線が散らばる位置)の光学面について、その数を増やしたりサイズを大きくしたりすると、広画角な偏芯光学系で特に顕著に発生する歪曲収差，像面湾曲及び非点収差の補正が容易になる。しかし、投影光学系で構成される光学ユニットのサイズは大きくなるため、画像投影装置のコンパクト化・薄型化には不利になる。さらに、加工・コストの面でも不利になる。光学ユニットのサイズを大きくすることなく歪曲収差，像面湾曲及び非点収差を補正するには、瞳からある程度以上離れた位置、すなわち瞳位置よりも光路に沿って縮小側に進んだ位置又は瞳位置よりも光路に沿って拡大側に進んだ位置に、収差補正屈折面が少なくとも１つ存在することが好ましい。
【００３１】
瞳位置よりも光路に沿って縮小側の光路上に、収差補正屈折面を有する光学素子を設置・保持するためのスペースを確保するには、投影光学系の偏芯量を大きくする必要がある。その場合、非点収差が発生するため、それを他の光学面で補正する必要がある。したがって、効率的ではない。それとは反対に、瞳位置よりも光路に沿って拡大側の光路上では比較的スペースに余裕があり、新たなスペースを確保する必要がなく、容易に収差補正屈折面を設置することができる。また、各像高から出た光束の主光線は凸面反射面で反射して散らばるので、瞳からある程度離れた位置で、かつ、凸面反射面よりも拡大側に収差補正屈折面を置くのが好ましい。更に言えば、凸面反射面で反射した後の光束は徐々に広がっていくので、光路に沿った瞳からの距離が離れすぎないような位置に収差補正屈折面を設置すれば、収差補正屈折面の径を小さく抑えることができる。
【００３２】
以上のことを踏まえると、条件式(1b)を満たし、かつ、縮小側から数えて最初の凸面反射面より拡大側の光路上に位置する収差補正屈折面が、少なくとも１つ存在することが好ましい。このような収差補正屈折面を使用することにより、歪曲収差，像面湾曲及び非点収差を適切に補正することができる。また、広画角化に伴い発生する収差を補正するために大きくせざるを得ない光学面(とりわけ、拡大側に位置する光学面)のサイズを小さく抑えることができる。これにより、光学ユニットをコンパクトにすることができ、ひいては画像投影装置のコンパクト化・薄型化を実現することができる。同時に、光学部品のコストの面でも有利になり、また、最も拡大側に位置する曲面光学面を反射面にすることにより、広画角化が達成しやすくなる。
【００３３】
条件式(1b)の下限を越えると、上述のとおりスペースを確保するために偏芯量を増やす必要が生じるため、非点収差が発生する。この非点収差を補正するために他の光学面の負担が増大し、光学面のサイズを小さく抑える効果をうまく得ることができなくなる。逆に、条件式(1b)の上限を越えると、像面湾曲や非点収差の補正の効果が減少することによって収差のバランスが崩れ、高性能の維持が困難になる。また、収差補正屈折面の径の増大につながり、加工・コストの面でも不利になる。
【００３４】
以下の条件式(1c)を満足することが更に望ましい。
1.2＜Lr／La＜1.6  …(1c)
この条件式(1c)は、前記条件式(1b)が規定している条件範囲のなかでも、収差補正の効率や光学ユニットのコンパクト化，コストの面から、更に好ましい条件範囲を規定している。
【００３５】
第１，第７の実施の形態では第１曲面ミラーＭ１が球面形状を有しており、第２〜第６の実施の形態では第１曲面ミラーＭ１と第２曲面ミラーＭ２が球面形状を有している。このように、投影光学系が有する複数の曲面反射面のうち、最も縮小側の曲面反射面を第１曲面反射面とし、縮小側から数えて２つ目の曲面反射面を第２曲面反射面とすると、第１，第２曲面反射面のうちの少なくとも１つが球面形状を有することが好ましい。複数の曲面反射面を有する投影光学系では、第１，第２曲面反射面の感度が高くなる。このため、高い面精度が要求される第１，第２曲面反射面の一方又は両方を球面形状とすることにより、研磨による高い面精度での加工が可能になる。さらには、球面受けでの組み込みが可能となるので、組み込み誤差も最小限に抑えることができる。樹脂ではなく、線膨張係数の低いガラスを用いることができるため、温度変化によるフォーカスズレも抑えることができる。
【００３６】
投影光学系が有する複数の曲面反射面のうち、上記のように第１，第２曲面反射面のうちの少なくとも１つが球面形状を有し、さらに、縮小側から数えて３つ目の曲面反射面を第３曲面反射面とし、縮小側から数えて４つ目の曲面反射面を第４曲面反射面とすると、第３，第４曲面反射面のうちの少なくとも１つが回転非対称な自由曲面形状を有することが好ましい。第１，第２曲面反射面のうちの少なくとも１つに球面形状を用いることにより前述した効果が得られ、それに加えて、比較的誤差感度の緩い第３，第４曲面反射面に回転非対称な自由曲面を用いることによって、投影光学系の広画角化及び高性能化を小さな反射面で、あるいは少ない反射面数で達成することが可能となる。それにより、光学ユニット及び画像投影装置の更なるコンパクト化・薄型化が可能となる。
【００３７】
第２〜第６の実施の形態のように、複数の曲面反射面のうち、第１，第２曲面反射面が球面形状を有し、第１，第２曲面反射面以外の少なくとも１つの曲面反射面が回転非対称な自由曲面形状を有することが好ましい。第１，第２曲面反射面を球面形状にすることによって、高い面精度が要求される第１，第２曲面反射面の加工や組み込み等が容易になり、第１，第２曲面反射面以外の少なくとも１つの曲面反射面を回転非対称な自由曲面形状にすることによって、投影光学系の広画角化及び高性能化を効果的に達成することが可能となる。
【００３８】
いずれの実施の形態においても、回転対称な非球面形状又は回転非対称な自由曲面形状を有する曲面反射面(第１〜第４曲面ミラーＭ１〜Ｍ４)が、収差補正のために用いられている。前述したように、収差補正のための光学面を効果的に配置することは、広画角化，コンパクト化等とのバランスをとりながら高性能化を達成する上で重要であり、また、高い面精度が要求される縮小側の光学面は球面形状を有するのが好ましい。したがって、パネル表示面の画像をスクリーン面上に斜め拡大投影する投影光学系においては、複数の曲面反射面と複数の収差補正屈折面とを有し、複数の曲面反射面のうち、最も縮小側の曲面反射面を第１曲面反射面とし、縮小側から数えて２つ目の曲面反射面を第２曲面反射面とすると、第１，第２曲面反射面が球面形状を有し、第１，第２曲面反射面以外の少なくとも１つの曲面反射面が回転非対称な自由曲面形状を有することが好ましい。このように複数の曲面反射面と複数の収差補正屈折面を用いることにより、上述した効果をより一層大きく得ることが可能となる。
【００３９】
前記収差補正屈折面を有し、かつ、以下の条件式(2)を満たす透過型光学素子を少なくとも１つ備えることが望ましい。
dmax／dmin＜1.5  …(2)
ただし、透過型光学素子を通過する任意の光線に沿った方向において、
dmax：透過型光学素子の縮小側面から拡大側面までの距離の最大値、
dmin：透過型光学素子の縮小側面から拡大側面までの距離の最小値、
である。
【００４０】
条件式(2)は、前述の収差補正屈折面を有する透過型光学素子の厚みについて好ましい条件範囲を規定している。そして条件式(2)を満たすことは、収差補正屈折面を有する透過型光学素子が略ノンパワーであることを意味する。反射面においては色収差が発生しないので、パワーを反射ミラーに持たせることが好ましく、パワーを反射ミラーにのみ持たせることによって色収差を最小限に抑えることができる。面誤差感度，偏芯感度，温度特性の面においても、収差補正屈折面を持つ透過型光学素子は略ノンパワーであることが望ましい。それにより、加工，組み込み等が容易になる。条件式(2)の上限を越えると、曲面度が大きくなってパワーが強くなる。その結果、感度が高くなって製造・組み込みが困難になる。
【００４１】
前記収差補正屈折面のうちの少なくとも１つは、以下の条件式(3)を満たすことが望ましい。
5＜θ＜50  …(3)
ただし、パネル表示面の画面中心から瞳の中心を通ってスクリーン面の画面中心に到達する光線を基準光線とすると、
θ：基準光線が収差補正屈折面と交わる点において、基準光線と収差補正屈折面の法線とが成す角度(°)、
である。
【００４２】
条件式(3)は、前述の収差補正屈折面に対する基準光線の入射角度について好ましい条件範囲を規定している。傾けた平行平板を光路中に設置すると非点収差が発生するが、この効果を用いれば、広画角化に伴い発生した非点収差を補正することもできる。条件式(3)を満たす収差補正屈折面を用いれば、新たな光学素子を用いることなく同様の効果を得ることができる。例えば、後述する投影光学系の各実施例で用いたような、厚さ２ｍｍ，屈折率１．５３程度の光学素子を用いた場合、その光学素子を５°傾けることにより、縮小側で０．０２ｍｍ程度非点収差が変動する。
【００４３】
各実施の形態のように、曲面反射面を少なくとも４面有することが好ましい。曲面反射面が少なくとも４面あれば、広画角な斜め投影光学系として用いる場合、十分良好な光学性能を確保することができる。曲面反射面が３面以下であると、投影光学系として必要な光学性能を得ることが設計的にも製造的にも極めて困難になる。ただし、光学面は少ないほどコスト面で好ましく、光学面が多くなると筐体内における光学素子の配置も不利になる。したがって、曲面反射面の数は４面であることが更に好ましい。
【００４４】
曲面反射面を少なくとも４面有し、そのうち、縮小側から数えて３つ目の曲面反射面を第３曲面反射面とし、縮小側から数えて４つ目の曲面反射面を第４曲面反射面とすると、以下の条件式(4)を満たすことが望ましい。
0.8＜H4／H3＜2  …(4)
ただし、
H3：第３曲面反射面に対して基準光線が成す入射光線及び反射光線を含む平面において、第３曲面反射面の有効領域の上限の点から下限の点までの直線距離、
H4：第４曲面反射面に対して基準光線が成す入射光線及び反射光線を含む平面において、第４曲面反射面の有効領域の上限の点から下限の点までの直線距離、
である。
【００４５】
広画角な偏芯光学系で特に顕著に発生する歪曲収差，像面湾曲及び非点収差を効率良く抑えつつ、光学ユニット及び画像投影装置のコンパクト化・薄型化、加工・組み込み難易度、コストの低減を達成するには、条件式(4)を満たすのが好ましい。条件式(4)の下限を越えて第４曲面反射面の有効域が小さくなると、広画角化に伴い発生する歪曲収差の補正が困難になる。条件式(4)の下限を越えて第３曲面反射面の有効域が大きくなると、光路の折り曲げが難しくなるため、光学ユニットのコンパクト化、ひいては画像投影装置のコンパクト化・薄型化に不利となる。また、第３曲面反射面の正のパワーが強くなり、誤差感度がきつくなる。そのため、組み込みが困難になる。条件式(4)の上限を越えて第４曲面反射面の有効域が大きくなると、光学ユニットのコンパクト化、ひいては画像投影装置のコンパクト化・薄型化に不利となる。さらに、加工・コストの面でも不利となる。条件式(4)の上限を越えて第３曲面反射面の有効域が小さくなると、歪曲収差，像面湾曲及び非点収差の補正が困難となる。また、第３曲面反射面の負のパワーが強くなり、誤差感度がきつくなる。そのため、組み込みが困難になる。
【００４６】
第１の実施の形態等のように、投影光学系が有する複数の曲面反射面のうち、第１曲面反射面が光束の入射側に向けて凹面形状を成し、第２曲面反射面が光束の入射側に向けて凸面形状を成し、第３曲面反射面が光束の入射側に向けて凹面形状を成すことが好ましい。第１〜第３曲面反射面に上記面形状を採用することにより、縮小側から順に正負正のパワー配置とすれば、投影光学系の広画角化及び高性能化を達成しつつ、第４曲面反射面を小さく抑えることができる。それにより、光学ユニット及び画像投影装置のコンパクト化・薄型化・低コスト化が可能となる。
【００４７】
以上の説明から分かるように、上述した各実施の形態や後述する各実施例には以下の構成が含まれている。その構成によると、収差補正屈折面や曲面反射面が効果的に配置されているため、良好な光学性能を保持しつつ量産性やコスト面で有利であって、しかも大画面で光学部品のコンパクトな投影光学系を実現することができる。そして、本発明に係る投影光学系をリアプロジェクタ，フロントプロジェクタ等の画像投影装置に用いれば、その薄型・軽量・コンパクト化，低コスト化，高性能化，高機能化等に寄与することができる。
【００４８】
(#1)  パネル表示面の画像をスクリーン面上に斜め拡大投影する投影光学系であって、複数の曲面反射面と少なくとも１つの収差補正屈折面とを有し、前記収差補正屈折面のうちの少なくとも１つが前記条件式(1a),(1b)のいずれかを満たし、最も拡大側に位置する曲面光学面が反射面であることを特徴とする投影光学系。
【００４９】
(#2)  前記複数の曲面反射面のうち、最も縮小側の曲面反射面を第１曲面反射面とし、縮小側から数えて２つ目の曲面反射面を第２曲面反射面とすると、前記第１，第２曲面反射面のうちの少なくとも１つが球面形状を有することを特徴とする上記(#1)記載の投影光学系。
【００５０】
(#3)  前記複数の曲面反射面のうち、最も縮小側の曲面反射面を第１曲面反射面とし、縮小側から数えて２つ目の曲面反射面を第２曲面反射面とすると、前記第１，第２曲面反射面が球面形状を有し、前記第１，第２曲面反射面以外の少なくとも１つの曲面反射面が回転非対称な自由曲面形状を有することを特徴とする上記(#1)記載の投影光学系。
【００５１】
(#4)  パネル表示面の画像をスクリーン面上に斜め拡大投影する投影光学系であって、複数の曲面反射面と複数の収差補正屈折面とを有し、前記複数の曲面反射面のうち、最も縮小側の曲面反射面を第１曲面反射面とし、縮小側から数えて２つ目の曲面反射面を第２曲面反射面とすると、前記第１，第２曲面反射面が球面形状を有し、前記第１，第２曲面反射面以外の少なくとも１つの曲面反射面が回転非対称な自由曲面形状を有することを特徴とする投影光学系。
【００５２】
(#5)  前記収差補正屈折面を有し、かつ、前記条件式(2)を満たす透過型光学素子を少なくとも１つ備えることを特徴とする上記(#1)〜(#4)のいずれか１項に記載の投影光学系。
【００５３】
(#6)  前記収差補正屈折面のうちの少なくとも１つが前記条件式(3)を満たすことを特徴とする上記(#1)〜(#5)のいずれか１項に記載の投影光学系。
【００５４】
(#7)  前記曲面反射面を少なくとも４面有することを特徴とする上記(#1)〜(#6)のいずれか１項に記載の投影光学系。
【００５５】
(#8)  上記(#1)〜(#7)のいずれか１項に記載の投影光学系を備えたことを特徴とする画像投影装置。
【実施例】
【００５６】
以下、本発明を実施した投影光学系を、コンストラクションデータ等を挙げて更に具体的に説明する。ここで挙げる実施例１〜７、前述した第１〜第７の実施の形態にそれぞれ対応する数値実施例であり、各実施の形態を表す光学構成図(図１〜図６，図１５)は、対応する実施例の光学配置，投影光路等をそれぞれ示している。各実施例のコンストラクションデータは、縮小側のパネル表示面Ｓｏ(拡大投影における物面に相当する。)から拡大側のスクリーン面Ｓｉ(拡大投影における像面に相当する。)までを含めた系の光学配置を示しており、縮小側から数えてｎ番目の面がＳｎ(ｎ＝１，２，３，．．．)である。なお、面Ｓ１，Ｓ２はパネル表示面Ｓｏを保護するために覆うカバーバラスＣＧの両面であり、投影光学系の一部を成すものではない。
【００５７】
各光学面の配置は、その面頂点をローカルな直交座標系(X,Y,Z)の原点(O)として、グローバルな直交座標系(x,y,z)におけるローカルな直交座標系(X,Y,Z)の原点(O)とX軸，Y軸の座標軸ベクトル(VX,VY)の座標データ(x,y,z)とで表されている(単位：ｍｍ)。ただし、座標系はすべて右手系で定義されており、グローバルな直交座標系(x,y,z)はパネル表示面Ｓｏのローカルな直交座標系(X,Y,Z)と一致した絶対座標系になっている。したがって、グローバルな直交座標系(x,y,z)の原点(o)はパネル表示面Ｓｏの中心に位置する原点(O)と同一の点であり、パネル表示面ＳｏでのベクトルVXはパネル表示面Ｓｏの面法線と平行であり、ベクトルVYはベクトルVXに直交するとともにパネル表示面Ｓｏの画面短辺に平行である。また、座標データ(x,y,z)で表された光学面を先頭面として共軸系の一部を成す光学面については、直前の光学面を基準としたX方向の軸上面間隔T'(ｍｍ)で光学面の配置が表されている。
【００５８】
各光学要素の面形状は、その光学面の曲率C0(ｍｍ-1)，曲率半径r(ｍｍ)等で表されている。例えば、＊印が付された面Ｓｎは回転対称な非球面であり、その面形状は面頂点を原点(O)とするローカルな直交座標系(X,Y,Z)を用いた以下の式(AS)で定義される。また、＄印が付された面Ｓｎは回転非対称な非球面(いわゆる自由曲面)であり、その面形状は面頂点を原点(O)とするローカルな直交座標系(X,Y,Z)を用いた以下の式(BS)で定義される。回転対称非球面データ，回転非対称非球面データを他のデータとあわせて示す。ただし、表記の無い項の係数は０であり、すべてのデータに関してE-n＝×10-nである。
X＝(C0・H2)／{1+√(1-ε・C02・H2)}＋Σ{A(i)・Hi}  …(AS)
X＝(C0・H2)／{1+√(1-ε・C02・H2)}＋Σ{G(j,k)・Yj・Zk}  …(BS)
ただし、式(AS),(BS)中、
X：高さHの位置でのX方向の基準面からの変位量(面頂点基準)、
H：X軸に対して垂直な方向の高さ{H=√(Y2+Z2)}、
C0：面頂点での曲率(＋／−はローカルな直交座標系のX軸に対するものであり、正の場合その曲率中心がベクトルVX上の正方向に存在する。C0=1/r)、
ε：２次曲面パラメータ、
A(i)：i次の回転対称非球面係数、
G(j,k)：Yのj次、Zのk次の回転非対称非球面係数、
である。
【００５９】
各光学面の入射側に位置する媒質のｄ線に対する屈折率N，各光学面の射出側に位置する媒質のｄ線に対する屈折率N'(その光学面が反射面の場合には負の値となる。)及び光学材料のアッベ数νdを他のデータとあわせて示す。絞りに関しては、仮想絞りデータ(絞り有効半径Rを含む。)を他の光学面データと同様に示す。コンストラクションデータで定義される光学系を通過する光束は、パネル表示面Ｓｏから射出して円形の仮想絞りの縁を通過する光束として定義される。ただし実使用時には、主光線が集光する位置の近傍に絞りが設置される。また、表１及び表２に各条件式の対応データ及び関連データを各実施例について示す(なお、条件式(1a),(1b),(1c)の距離Laは、パネル表示面Ｓｏから主光線が集光する位置までの基準光線に沿った距離に相当する。)。
【００６０】
実施例１〜７のパネル表示面Ｓｏの画面サイズ(ｍｍ)は、LY＝±2.754，LZ＝±4.892である。ただし、パネル表示面Ｓｏの画面形状は長方形であり、LYはパネル表示面Ｓｏの画面短辺方向(すなわちY方向)の長さ、LZはパネル表示面Ｓｏの画面長辺方向(すなわちZ方向)の長さである。また、各実施例の倍率(β)とＦナンバー(FnoY,FnoZ)を以下に示す。ただし、FnoYは縦方向(Y方向)のＦナンバー、FnoZは横方向(Z方向)のＦナンバーである。
実施例１：β=95.03，FnoY=2.83，FnoZ=2.81
実施例２：β=95.04，FnoY=2.83，FnoZ=2.81
実施例３：β=95.04，FnoY=2.83，FnoZ=2.81
実施例４：β=95.03，FnoY=2.83，FnoZ=2.81
実施例５：β=95.03，FnoY=2.83，FnoZ=2.81
実施例６：β=95.02，FnoY=2.83，FnoZ=2.81
実施例７：β=117.67，FnoY=2.83，FnoZ=2.81
【００６１】
図７〜図１２，図１６に、各実施例のスポットダイアグラムを示す。各スポットダイアグラムは、スクリーン面Ｓｉでの結像特性(目盛りは±１ｍｍで表記されている。)を３波長(４６０ｎｍ，５４６ｎｍ，６２０ｎｍ)，２５個の評価ポイントについて示している。図中の座標(Y,Z)は、各評価ポイントのスポット重心の投影位置を示すスクリーン面Ｓｉのローカル座標(Y,Z；ｍｍ；e-n＝×10-n)である。いずれの実施例もXY平面に対して面対称な光学系から成っているため、スポットダイアグラムはスクリーン面Ｓｉ上でのZ方向のプラス側の半分のみを示しており、残り半分は図示省略してある。また、これらの評価ポイントはパネル表示面ＳｏのZ方向の半分を縦横それぞれ均等に５分割した点と共役であり、パネル表示面Ｓｏ上の点が持つローカル座標のYとZの値に倍率をかけた値がスポットダイアグラム上での理想結像点であり、その計算値からのズレの分が歪曲である。なお、スポットダイアグラムの出発点はパネル表示面Ｓｏの±Y，＋Z側にあるが、実施例１〜５，７では天井の平面ミラーＭＦで画像が上下反転するためYが＋／−逆転しており、実施例６では背面の平面ミラーＭＦで画像が左右反転するためZが＋／−逆転している。
【００６２】
《実施例１のコンストラクションデータ》
Ｓｏ〈パネル表示面〉
［座標］
O  :    0.00000 ,    0.00000 ,    0.00000
VX : 1.00000000 , 0.00000000 , 0.00000000
VY : 0.00000000 , 1.00000000 , 0.00000000
N = 1.00000
C0= 0.00000000(r=∞)
N'= 1.00000
T'= 0.47
【００６３】
Ｓ１〈カバーガラスＣＧの入射側面〉
N = 1.00000
C0= 0.00000000(r=∞)
N'= 1.51872,νd=64.20
T'= 3
【００６４】
Ｓ２〈カバーガラスＣＧの射出側面〉
N = 1.51872,νd=64.20
C0= 0.00000000(r=∞)
N'= 1.00000
【００６５】
Ｓ３〈第１曲面ミラーＭ１〉
［座標］
O  :   84.77600 ,   -8.80205 ,    0.00000
VX : 0.99335574 , 0.11508424 , 0.00000000
VY :-0.11508424 , 0.99335574 , 0.00000000
N = 1.00000
C0=-0.01024430(r=-97.6153)
N'=-1.00000
【００６６】
Ｓ４＊〈レンズＬ１の入射側面〉
［座標］
O  :   33.18400 ,  -26.78580 ,    0.00000
VX :-0.99802020 ,-0.06289414 , 0.00000000
VY :-0.06289414 , 0.99802020 , 0.00000000
N = 1.00000
C0= 0.00000000(r=∞)
［非球面データ］
ε=1.00000
A( 4)= 1.73282E-6
A( 6)=-2.51393E-8
A( 8)= 5.8343E-10
A(10)=-6.49544E-12
A(12)= 2.72743E-14
N'= 1.52729,νd=56.38
【００６７】
Ｓ５〈レンズＬ１の射出側面〉
［座標］
O  :   31.23500 ,  -27.67100 ,    0.00000
VX :-0.99802020 ,-0.06289414 , 0.00000000
VY :-0.06289414 , 0.99802020 , 0.00000000
N = 1.52729,νd=56.38
C0= 0.00000000(r=∞)
N'= 1.00000
【００６８】
Ｓ６＊〈第２曲面ミラーＭ２〉
［座標］
O  :   13.34700 ,  -24.19590 ,    0.00000
VX :-0.99395174 , 0.10981775 , 0.00000000
VY : 0.10981775 , 0.99395174 , 0.00000000
N = 1.00000
C0= 0.00931427(r=107.3621)
［非球面データ］
ε=6.42234
A( 4)= 1.4105E-6
A( 6)= 8.58819E-10
A( 8)=-2.64074E-12
A(10)= 5.41875E-15
A(12)=-4.40215E-18
N'=-1.00000
【００６９】
Ｓ７＄〈レンズＬ２の入射側面〉
［座標］
O  :   34.67500 ,  -55.70520 ,    0.00000
VX : 0.01157085 ,-0.99993306 , 0.00000000
VY : 0.99993306 , 0.01157085 , 0.00000000
N = 1.00000
C0= 0.00000000(r=∞)
［非球面データ］
ε=1.00000
G( 3, 0)= 8.61966E-6
G( 4, 0)=-1.32367E-6
G( 5, 0)= 1.81013E-9
G( 6, 0)=-2.38497E-9
G( 7, 0)= 3.31534E-10
G( 8, 0)=-3.36791E-12
G( 9, 0)=-7.71912E-13
G(10, 0)= 2.42779E-14
G( 1, 2)=-6.6744E-5
G( 2, 2)=-2.40316E-6
G( 3, 2)= 8.97504E-8
G( 4, 2)= 3.54681E-10
G( 5, 2)= 4.62364E-10
G( 6, 2)=-1.29461E-11
G( 7, 2)=-6.77249E-13
G( 8, 2)= 2.31117E-14
G( 0, 4)= 2.46946E-6
G( 1, 4)= 2.0643E-7
G( 2, 4)=-6.56518E-10
G( 3, 4)=-1.59192E-11
G( 4, 4)=-1.66117E-11
G( 5, 4)=-6.9256E-13
G( 6, 4)= 3.52199E-14
G( 0, 6)=-3.00301E-9
G( 1, 6)=-1.27708E-10
G( 2, 6)= 2.16243E-12
G( 3, 6)= 6.36425E-13
G( 4, 6)= 4.02125E-15
G( 0, 8)= 5.95575E-12
G( 1, 8)= 2.69834E-13
G( 2, 8)=-1.86336E-14
G( 0,10)=-1.57267E-14
N'= 1.52729,νd=56.38
【００７０】
Ｓ８〈レンズＬ２の射出側面〉
［座標］
O  :   39.23600 ,  -57.65510 ,    0.00000
VX : 0.01157085 ,-0.99993306 , 0.00000000
VY : 0.99993306 , 0.01157085 , 0.00000000
N = 1.52729,νd=56.38
C0= 0.00000000(r=∞)
N'= 1.00000
【００７１】
Ｓ９＄〈第３曲面ミラーＭ３〉
［座標］
O  :   69.48900 ,  -95.92290 ,    0.00000
VX : 0.91941593 ,-0.39328660 , 0.00000000
VY : 0.39328660 , 0.91941593 , 0.00000000
N = 1.00000
C0=-0.00044085(r=-2268.3247)
［非球面データ］
ε=1.00000
G( 2, 0)= 0.000280832
G( 3, 0)=-1.18927E-5
G( 4, 0)=-8.7313E-7
G( 5, 0)=-8.41805E-9
G( 6, 0)= 7.25923E-12
G( 7, 0)= 9.49225E-12
G( 8, 0)= 1.04654E-13
G( 9, 0)=-2.19175E-14
G(10, 0)= 7.21665E-16
G( 0, 2)=-0.000513986
G( 1, 2)=-8.55552E-5
G( 2, 2)=-1.12351E-6
G( 3, 2)= 2.49379E-8
G( 4, 2)= 8.10459E-10
G( 5, 2)= 2.58668E-11
G( 6, 2)= 8.12093E-13
G( 7, 2)= 2.11287E-15
G( 8, 2)=-1.19879E-15
G( 0, 4)= 1.17194E-6
G( 1, 4)= 5.41384E-8
G( 2, 4)= 3.65203E-10
G( 3, 4)=-1.88985E-11
G( 4, 4)=-1.18863E-12
G( 5, 4)=-3.78949E-14
G( 6, 4)= 7.8927E-17
G( 0, 6)=-9.29742E-11
G( 1, 6)= 3.36094E-13
G( 2, 6)= 1.0404E-12
G( 3, 6)= 3.77869E-14
G( 4, 6)= 2.03532E-15
G( 0, 8)=-3.88723E-13
G( 1, 8)=-1.38874E-15
G( 2, 8)=-1.35813E-15
G( 0,10)= 5.45906E-16
N'=-1.00000
【００７２】
Ｓ１０＄〈第４曲面ミラーＭ４〉
［座標］
O  :   23.67600 ,  -62.46640 ,    0.00000
VX :-0.99802624 , 0.06279831 , 0.00000000
VY : 0.06279831 , 0.99802624 , 0.00000000
N = 1.00000
C0= 0.05625150(r=17.7773)
［非球面データ］
ε=-1.54968
G( 2, 0)=-0.0018995
G( 3, 0)=-1.99289E-5
G( 4, 0)=-4.72141E-7
G( 5, 0)=-5.6067E-9
G( 6, 0)=-2.08536E-11
G( 7, 0)= 1.58062E-13
G( 8, 0)= 2.17055E-15
G( 9, 0)= 6.89436E-18
G(10, 0)=-2.2838E-20
G( 0, 2)=-0.00418619
G( 1, 2)=-9.36187E-5
G( 2, 2)=-2.59756E-6
G( 3, 2)=-4.09752E-8
G( 4, 2)=-4.09984E-10
G( 5, 2)=-3.01393E-12
G( 6, 2)=-1.3615E-14
G( 7, 2)=-3.03519E-17
G( 8, 2)=-9.24981E-20
G( 0, 4)=-2.04797E-7
G( 1, 4)=-3.13937E-9
G( 2, 4)= 1.415E-10
G( 3, 4)= 2.53309E-12
G( 4, 4)= 1.03641E-14
G( 5, 4)= 6.70735E-17
G( 6, 4)= 5.8545E-19
G( 0, 6)= 1.66422E-10
G( 1, 6)= 4.93631E-12
G( 2, 6)= 2.84416E-14
G( 3, 6)=-1.4395E-16
G( 4, 6)=-2.85288E-18
G( 0, 8)=-6.936E-14
G( 1, 8)=-1.98833E-15
G( 2, 8)=-4.60481E-18
G( 0,10)=-9.75378E-18
N'=-1.00000
【００７３】
Ｓ１１〈平面ミラーＭＦ〉
［座標］
O  :  400.00000 , -441.69700 ,    0.00000
VX : 0.10902324 ,-0.99403920 , 0.00000000
VY : 0.99403920 , 0.10902324 , 0.00000000
N = 1.00000
C0= 0.00000000(r=∞)
N'=-1.00000
【００７４】
Ｓｉ〈スクリーン面〉
［座標］
O  :  204.75705 , -187.50166 ,    0.00000
VX : 0.93901635 , 0.34387248 , 0.00000000
VY :-0.34387248 , 0.93901635 , 0.00000000
【００７５】
〈仮想絞りデータ〉
［座標］
O  :100400.00000,-10552.50000,    0.00000
VX : 1.00000000 , 0.00000000 , 0.00000000
VY : 0.00000000 , 1.00000000 , 0.00000000
N = 1.00000
C0= 0.00000000(r=∞),R=18221.4
N'= 1.00000
【００７６】
《実施例２のコンストラクションデータ》
Ｓｏ〈パネル表示面〉
［座標］
O  :    0.00000 ,    0.00000 ,    0.00000
VX : 1.00000000 , 0.00000000 , 0.00000000
VY : 0.00000000 , 1.00000000 , 0.00000000
N = 1.00000
C0= 0.00000000(r=∞)
N'= 1.00000
T'= 0.47
【００７７】
Ｓ１〈カバーガラスＣＧの入射側面〉
N = 1.00000
C0= 0.00000000(r=∞)
N'= 1.51872,νd=64.20
T'= 3
【００７８】
Ｓ２〈カバーガラスＣＧの射出側面〉
N = 1.51872,νd=64.20
C0= 0.00000000(r=∞)
N'= 1.00000
【００７９】
Ｓ３〈第１曲面ミラーＭ１〉
［座標］
O  :   90.77400 ,   -9.43239 ,    0.00000
VX : 0.99470566 , 0.10276503 , 0.00000000
VY :-0.10276503 , 0.99470566 , 0.00000000
N = 1.00000
C0=-0.00947483(r=-105.5428)
N'=-1.00000
【００８０】
Ｓ４＄〈レンズＬ１の入射側面〉
［座標］
O  :   34.93000 ,  -27.35840 ,    0.00000
VX :-0.99926081 , 0.03844256 , 0.00000000
VY : 0.03844256 , 0.99926081 , 0.00000000
N = 1.00000
C0= 0.00000000(r=∞)
［非球面データ］
ε=1.00000
G( 3, 0)= 4.79337E-5
G( 4, 0)= 1.66079E-7
G( 5, 0)=-1.96836E-8
G( 6, 0)=-2.68026E-9
G( 7, 0)=-7.37523E-11
G( 8, 0)= 2.04524E-11
G( 1, 2)= 6.03078E-5
G( 2, 2)= 2.00845E-7
G( 3, 2)=-6.21625E-8
G( 4, 2)= 1.86635E-9
G( 5, 2)=-1.87519E-11
G( 6, 2)=-2.05001E-11
G( 0, 4)= 2.09762E-7
G( 1, 4)=-1.08952E-8
G( 2, 4)=-7.45365E-9
G( 3, 4)= 1.81784E-9
G( 4, 4)=-4.68858E-10
G( 5, 4)=-1.38943E-11
G( 6, 4)= 3.44102E-12
G( 0, 6)=-3.40962E-9
G( 1, 6)=-1.12276E-10
G( 2, 6)= 6.00231E-11
G( 3, 6)=-4.60791E-11
G( 4, 6)= 1.00818E-11
G( 0, 8)= 2.01876E-11
N'= 1.52729,νd=56.38
【００８１】
Ｓ５〈レンズＬ１の射出側面〉
［座標］
O  :   32.92900 ,  -27.35840 ,    0.00000
VX :-0.99926081 , 0.03844256 , 0.00000000
VY : 0.03844256 , 0.99926081 , 0.00000000
N = 1.52729,νd=56.38
C0= 0.00000000(r=∞)
N'= 1.00000
【００８２】
Ｓ６〈第２曲面ミラーＭ２〉
［座標］
O  :   12.26300 ,  -34.36970 ,    0.00000
VX :-0.96790260 , 0.25132559 , 0.00000000
VY : 0.25132559 , 0.96790260 , 0.00000000
N = 1.00000
C0= 0.00985145(r=101.5079)
N'=-1.00000
【００８３】
Ｓ７＄〈レンズＬ２の入射側面〉
［座標］
O  :   31.18600 ,  -54.59710 ,    0.00000
VX : 0.39219801 ,-0.91988082 , 0.00000000
VY : 0.91988082 , 0.39219801 , 0.00000000
N = 1.00000
C0= 0.00000000(r=∞)
［非球面データ］
ε=1.00000
G( 3, 0)= 5.73937E-5
G( 4, 0)=-5.45469E-6
G( 5, 0)= 2.95092E-7
G( 6, 0)=-2.06184E-8
G( 7, 0)=-1.16518E-9
G( 8, 0)= 1.35153E-10
G( 9, 0)= 6.4726E-12
G(10, 0)=-5.025E-13
G( 1, 2)=-0.000126608
G( 2, 2)=-6.23703E-6
G( 3, 2)= 4.57652E-7
G( 4, 2)=-2.00146E-8
G( 5, 2)= 5.45813E-10
G( 6, 2)= 7.61716E-11
G( 7, 2)=-5.57207E-12
G( 8, 2)= 7.34366E-14
G( 0, 4)= 2.11766E-7
G( 1, 4)= 2.85424E-7
G( 2, 4)=-9.85049E-9
G( 3, 4)=-1.94353E-9
G( 4, 4)= 1.5748E-10
G( 5, 4)= 6.50179E-12
G( 6, 4)=-4.86407E-13
G( 0, 6)=-6.00982E-9
G( 1, 6)=-3.09522E-10
G( 2, 6)= 9.47728E-11
G( 3, 6)= 8.74303E-12
G( 4, 6)=-1.09605E-12
G( 0, 8)= 2.70211E-11
G( 1, 8)= 2.24846E-13
G( 2, 8)=-2.41804E-13
G( 0,10)=-3.61895E-14
N'= 1.52729,νd=56.38
【００８４】
Ｓ８〈レンズＬ２の射出側面〉
［座標］
O  :   36.28600 ,  -54.59710 ,    0.00000
VX : 0.39219801 ,-0.91988082 , 0.00000000
VY : 0.91988082 , 0.39219801 , 0.00000000
N = 1.52729,νd=56.38
C0= 0.00000000(r=∞)
N'= 1.00000
【００８５】
Ｓ９＄〈第３曲面ミラーＭ３〉
［座標］
O  :   63.70100 , -115.89200 ,    0.00000
VX : 0.94854728 ,-0.31663552 , 0.00000000
VY : 0.31663552 , 0.94854728 , 0.00000000
N = 1.00000
C0= 0.00000000(r=∞)
［非球面データ］
ε=1.00000
G( 2, 0)=-5.15803E-5
G( 3, 0)=-1.13296E-6
G( 4, 0)= 8.52923E-7
G( 5, 0)=-6.27157E-8
G( 6, 0)= 1.41661E-9
G( 7, 0)=-3.56406E-11
G( 8, 0)= 1.50969E-12
G( 9, 0)=-3.50278E-14
G(10, 0)= 2.91876E-16
G( 0, 2)=-0.000402355
G( 1, 2)=-5.60524E-5
G( 2, 2)=-6.69469E-7
G( 3, 2)=-8.57874E-8
G( 4, 2)= 6.6728E-9
G( 5, 2)=-1.56226E-10
G( 6, 2)= 3.38308E-13
G( 7, 2)= 4.11594E-14
G( 8, 2)=-4.65932E-16
G( 0, 4)= 4.22597E-7
G( 1, 4)=-8.6363E-9
G( 2, 4)= 4.70355E-9
G( 3, 4)=-2.75078E-10
G( 4, 4)= 7.27498E-12
G( 5, 4)=-9.54345E-14
G( 6, 4)= 4.55717E-16
G( 0, 6)= 3.43582E-10
G( 1, 6)=-2.02671E-11
G( 2, 6)=-1.86668E-12
G( 3, 6)= 9.87737E-14
G( 4, 6)=-9.24113E-16
G( 0, 8)=-1.12593E-12
G( 1, 8)= 8.93545E-14
G( 2, 8)=-1.9713E-15
G( 0,10)= 5.99231E-16
N'=-1.00000
【００８６】
Ｓ１０＄〈第４曲面ミラーＭ４〉
［座標］
O  :   -1.39500 ,  -84.28560 ,    0.00000
VX :-0.96052569 ,-0.27819129 , 0.00000000
VY :-0.27819129 , 0.96052569 , 0.00000000
N = 1.00000
C0= 0.05432750(r=18.4069)
［非球面データ］
ε=-1.36189
G( 2, 0)=-0.000934535
G( 3, 0)=-3.48304E-5
G( 4, 0)=-7.40846E-7
G( 5, 0)=-1.69932E-9
G( 6, 0)=-1.17443E-11
G( 7, 0)=-4.47739E-13
G( 8, 0)= 1.56421E-14
G( 9, 0)=-1.12835E-16
G(10, 0)=-4.88174E-18
G( 0, 2)=-0.00317468
G( 1, 2)=-0.000120379
G( 2, 2)=-4.32862E-6
G( 3, 2)=-4.59941E-8
G( 4, 2)=-7.39556E-11
G( 5, 2)=-5.65321E-12
G( 6, 2)=-9.03851E-14
G( 7, 2)= 1.47842E-15
G( 8, 2)= 2.56086E-17
G( 0, 4)=-1.71503E-6
G( 1, 4)=-2.91565E-8
G( 2, 4)= 5.32461E-10
G( 3, 4)= 2.21225E-12
G( 4, 4)= 3.78441E-14
G( 5, 4)= 1.18072E-15
G( 6, 4)=-3.85671E-17
G( 0, 6)= 3.79575E-9
G( 1, 6)= 9.11696E-11
G( 2, 6)=-6.67831E-13
G( 3, 6)=-1.00298E-15
G( 4, 6)= 3.74512E-16
G( 0, 8)=-4.48844E-12
G( 1, 8)=-1.92448E-13
G( 2, 8)=-2.09534E-15
G( 0,10)= 6.35726E-17
N'=-1.00000
【００８７】
Ｓ１１〈平面ミラーＭＦ〉
［座標］
O  :  400.00000 , -354.01600 ,    0.00000
VX : 0.37721984 ,-0.92612375 , 0.00000000
VY : 0.92612375 , 0.37721984 , 0.00000000
N = 1.00000
C0= 0.00000000(r=∞)
N'=-1.00000
【００８８】
Ｓｉ〈スクリーン面〉
［座標］
O  :  249.18738 , -124.11922 ,    0.00000
VX : 0.81007868 , 0.58632118 , 0.00000000
VY :-0.58632118 , 0.81007868 , 0.00000000
【００８９】
〈仮想絞りデータ〉
［座標］
O  :100400.00000,-10552.50000,    0.00000
VX : 1.00000000 , 0.00000000 , 0.00000000
VY : 0.00000000 , 1.00000000 , 0.00000000
N = 1.00000
C0= 0.00000000(r=∞),R=18221.4
N'= 1.00000
【００９０】
《実施例３のコンストラクションデータ》
Ｓｏ〈パネル表示面〉
［座標］
O  :    0.00000 ,    0.00000 ,    0.00000
VX : 1.00000000 , 0.00000000 , 0.00000000
VY : 0.00000000 , 1.00000000 , 0.00000000
N = 1.00000
C0= 0.00000000(r=∞)
N'= 1.00000
T'= 0.47
【００９１】
Ｓ１〈カバーガラスＣＧの入射側面〉
N = 1.00000
C0= 0.00000000(r=∞)
N'= 1.51872,νd=64.20
T'= 3
【００９２】
Ｓ２〈カバーガラスＣＧの射出側面〉
N = 1.51872,νd=64.20
C0= 0.00000000(r=∞)
N'= 1.00000
【００９３】
Ｓ３〈第１曲面ミラーＭ１〉
［座標］
O  :  113.07600 ,  -11.77640 ,    0.00000
VX : 0.99922072 , 0.03947082 , 0.00000000
VY :-0.03947082 , 0.99922072 , 0.00000000
N = 1.00000
C0=-0.00674329(r=-148.2956)
N'=-1.00000
【００９４】
Ｓ４〈第２曲面ミラーＭ２〉
［座標］
O  :   13.15900 ,  -30.33870 ,    0.00000
VX :-0.96794356 , 0.25116780 , 0.00000000
VY : 0.25116780 , 0.96794356 , 0.00000000
N = 1.00000
C0= 0.00206292(r=484.7498)
N'=-1.00000
【００９５】
Ｓ５＄〈レンズＬ１の入射側面〉
［座標］
O  :   51.25400 ,  -61.87380 ,    0.00000
VX : 0.91188021 ,-0.41045643 , 0.00000000
VY : 0.41045643 , 0.91188021 , 0.00000000
N = 1.00000
C0= 0.00000000(r=∞)
［非球面データ］
ε=1.00000
G( 3, 0)= 0.000114197
G( 4, 0)=-1.24701E-6
G( 5, 0)= 3.74209E-8
G( 6, 0)=-1.68367E-9
G( 7, 0)=-3.84701E-10
G( 8, 0)= 2.97769E-11
G( 9, 0)= 1.00513E-12
G(10, 0)=-8.67331E-14
G( 1, 2)= 0.0002736
G( 2, 2)=-1.22047E-6
G( 3, 2)=-6.33043E-8
G( 4, 2)= 4.56774E-9
G( 5, 2)=-8.25473E-10
G( 6, 2)= 3.80255E-12
G( 7, 2)= 6.92421E-12
G( 8, 2)=-3.88592E-13
G( 0, 4)=-6.0736E-7
G( 1, 4)=-1.1142E-7
G( 2, 4)= 7.26114E-9
G( 3, 4)= 8.2169E-10
G( 4, 4)=-1.10821E-10
G( 5, 4)=-3.6659E-12
G( 6, 4)= 5.52235E-13
G( 0, 6)=-3.01045E-10
G( 1, 6)= 5.7005E-11
G( 2, 6)=-5.90839E-11
G( 3, 6)=-4.72053E-12
G( 4, 6)= 6.74149E-13
G( 0, 8)= 5.48356E-12
G( 1, 8)=-8.68524E-14
G( 2, 8)= 1.43298E-13
G( 0,10)=-2.44685E-14
N'= 1.52729,νd=56.38
【００９６】
Ｓ６〈レンズＬ１の射出側面〉
［座標］
O  :   53.44800 ,  -61.87380 ,    0.00000
VX : 0.91188021 ,-0.41045643 , 0.00000000
VY : 0.41045643 , 0.91188021 , 0.00000000
N = 1.52729,νd=56.38
C0= 0.00000000(r=∞)
N'= 1.00000
【００９７】
Ｓ７＄〈レンズＬ２の入射側面〉
［座標］
O  :   65.22700 ,  -73.19270 ,    0.00000
VX : 0.91488721 ,-0.40370954 , 0.00000000
VY : 0.40370954 , 0.91488721 , 0.00000000
N = 1.00000
C0= 0.00000000(r=∞)
［非球面データ］
ε=1.00000
G( 3, 0)=-4.82239E-5
G( 4, 0)=-4.89547E-7
G( 5, 0)= 2.54879E-8
G( 6, 0)= 6.24823E-10
G( 7, 0)= 2.11456E-10
G( 8, 0)=-2.20978E-11
G( 9, 0)=-2.95641E-13
G(10, 0)= 4.80958E-14
G( 1, 2)=-0.000305772
G( 2, 2)=-2.17884E-6
G( 3, 2)= 1.96709E-7
G( 4, 2)=-2.75062E-9
G( 5, 2)= 6.16911E-10
G( 6, 2)=-8.46916E-12
G( 7, 2)=-4.24345E-12
G( 8, 2)= 3.03939E-13
G( 0, 4)= 3.36416E-7
G( 1, 4)= 2.09041E-7
G( 2, 4)=-5.85361E-9
G( 3, 4)=-5.29989E-10
G( 4, 4)= 1.0493E-10
G( 5, 4)= 1.11505E-12
G( 6, 4)=-4.86259E-13
G( 0, 6)=-5.01369E-10
G( 1, 6)=-9.95524E-12
G( 2, 6)= 6.29716E-11
G( 3, 6)= 2.10439E-12
G( 4, 6)=-4.52807E-13
G( 0, 8)=-1.45202E-12
G( 1, 8)= 2.39055E-14
G( 2, 8)=-1.18323E-13
G( 0,10)= 1.6537E-14
N'= 1.52729,νd=56.38
【００９８】
Ｓ８〈レンズＬ２の射出側面〉
［座標］
O  :   67.41300 ,  -73.19270 ,    0.00000
VX : 0.91488721 ,-0.40370954 , 0.00000000
VY : 0.40370954 , 0.91488721 , 0.00000000
N = 1.52729,νd=56.38
C0= 0.00000000(r=∞)
N'= 1.00000
【００９９】
Ｓ９＄〈第３曲面ミラーＭ３〉
［座標］
O  :  126.48200 , -149.02900 ,    0.00000
VX : 0.98714743 ,-0.15981226 , 0.00000000
VY : 0.15981226 , 0.98714743 , 0.00000000
N = 1.00000
C0= 0.00000000(r=∞)
［非球面データ］
ε=1.00000
G( 2, 0)= 0.000872262
G( 3, 0)= 7.20708E-5
G( 4, 0)= 3.87737E-7
G( 5, 0)=-7.31262E-8
G( 6, 0)= 1.40453E-9
G( 7, 0)=-3.44176E-11
G( 8, 0)= 1.54525E-12
G( 9, 0)=-3.41459E-14
G(10, 0)= 2.70166E-16
G( 0, 2)= 0.00336591
G( 1, 2)=-5.38495E-5
G( 2, 2)=-3.20324E-6
G( 3, 2)=-1.00318E-7
G( 4, 2)= 7.894E-9
G( 5, 2)=-1.30413E-10
G( 6, 2)=-2.71244E-13
G( 7, 2)= 3.57266E-14
G( 8, 2)=-2.8839E-16
G( 0, 4)= 2.14833E-7
G( 1, 4)= 4.47333E-8
G( 2, 4)= 5.19129E-9
G( 3, 4)=-2.77129E-10
G( 4, 4)= 5.98438E-12
G( 5, 4)=-5.94433E-14
G( 6, 4)=-1.85989E-16
G( 0, 6)= 1.23462E-9
G( 1, 6)=-9.96987E-11
G( 2, 6)= 2.93684E-12
G( 3, 6)=-1.3074E-13
G( 4, 6)= 3.70177E-15
G( 0, 8)=-4.09372E-12
G( 1, 8)= 2.17315E-13
G( 2, 8)=-4.14025E-15
G( 0,10)= 3.84291E-15
N'=-1.00000
【０１００】
Ｓ１０＄〈第４曲面ミラーＭ４〉
［座標］
O  :   77.22100 , -109.36100 ,    0.00000
VX :-0.99904553 ,-0.04368097 , 0.00000000
VY :-0.04368097 , 0.99904553 , 0.00000000
N = 1.00000
C0= 0.04637070(r=21.5653)
［非球面データ］
ε=-2.18621
G( 2, 0)=-0.00514755
G( 3, 0)=-0.000101701
G( 4, 0)=-1.01339E-6
G( 5, 0)= 3.14147E-9
G( 6, 0)= 2.06419E-11
G( 7, 0)=-1.54956E-12
G( 8, 0)= 9.7579E-15
G( 9, 0)= 4.60062E-16
G(10, 0)= 2.43486E-18
G( 0, 2)=-0.00100032
G( 1, 2)=-0.000100053
G( 2, 2)=-5.13582E-6
G( 3, 2)=-6.59522E-8
G( 4, 2)=-1.30555E-10
G( 5, 2)=-4.52205E-12
G( 6, 2)=-8.06881E-14
G( 7, 2)= 1.4402E-15
G( 8, 2)= 2.07926E-17
G( 0, 4)=-2.09192E-6
G( 1, 4)=-2.23099E-8
G( 2, 4)= 2.75285E-9
G( 3, 4)= 5.96202E-11
G( 4, 4)=-3.41509E-13
G( 5, 4)=-1.92883E-14
G( 6, 4)=-1.44741E-16
G( 0, 6)= 1.76453E-9
G( 1, 6)= 8.187E-11
G( 2, 6)= 1.46474E-12
G( 3, 6)= 1.81244E-14
G( 4, 6)= 1.29768E-16
G( 0, 8)=-8.10969E-13
G( 1, 8)=-3.17658E-14
G( 2, 8)=-2.85186E-16
G( 0,10)=-1.92403E-17
N'=-1.00000
【０１０１】
Ｓ１１〈平面ミラーＭＦ〉
［座標］
O  :  400.00000 , -363.80500 ,    0.00000
VX : 0.34096872 ,-0.94007464 , 0.00000000
VY : 0.94007464 , 0.34096872 , 0.00000000
N = 1.00000
C0= 0.00000000(r=∞)
N'=-1.00000
【０１０２】
Ｓｉ〈スクリーン面〉
［座標］
O  :  258.99815 , -126.02650 ,    0.00000
VX : 0.83889067 , 0.54429995 , 0.00000000
VY :-0.54429995 , 0.83889067 , 0.00000000
【０１０３】
〈仮想絞りデータ〉
［座標］
O  :100400.00000,-10552.50000,    0.00000
VX : 1.00000000 , 0.00000000 , 0.00000000
VY : 0.00000000 , 1.00000000 , 0.00000000
N = 1.00000
C0= 0.00000000(r=∞),R=18221.4
N'= 1.00000
【０１０４】
《実施例４のコンストラクションデータ》
Ｓｏ〈パネル表示面〉
［座標］
O  :    0.00000 ,    0.00000 ,    0.00000
VX : 1.00000000 , 0.00000000 , 0.00000000
VY : 0.00000000 , 1.00000000 , 0.00000000
N = 1.00000
C0= 0.00000000(r=∞)
N'= 1.00000
T'= 0.47
【０１０５】
Ｓ１〈カバーガラスＣＧの入射側面〉
N = 1.00000
C0= 0.00000000(r=∞)
N'= 1.51872,νd=64.20
T'= 3
【０１０６】
Ｓ２〈カバーガラスＣＧの射出側面〉
N = 1.51872,νd=64.20
C0= 0.00000000(r=∞)
N'= 1.00000
【０１０７】
Ｓ３〈第１曲面ミラーＭ１〉
［座標］
O  :   71.00732 ,   -7.65741 ,    0.00000
VX : 0.99699145 , 0.07751161 , 0.00000000
VY :-0.07751161 , 0.99699145 , 0.00000000
N = 1.00000
C0=-0.01108338(r=-90.2252)
N'=-1.00000
【０１０８】
Ｓ４〈第２曲面ミラーＭ２〉
［座標］
O  :   18.95503 ,  -22.39441 ,    0.00000
VX :-0.92576750 , 0.37809329 , 0.00000000
VY : 0.37809329 , 0.92576750 , 0.00000000
N = 1.00000
C0= 0.00212283(r=471.0689)
N'=-1.00000
【０１０９】
Ｓ５＄〈レンズＬ１の入射側面〉
［座標］
O  :   32.97341 ,  -40.82300 ,    0.00000
VX : 0.75740764 ,-0.65294232 , 0.00000000
VY : 0.65294232 , 0.75740764 , 0.00000000
N = 1.00000
C0= 0.00000000(r=∞)
［非球面データ］
ε=1.00000
G( 1, 0)= 0.0100577718
G( 2, 0)= 0.00139910092
G( 3, 0)=-9.06457401E-5
G( 4, 0)= 2.28707998E-5
G( 5, 0)=-9.39310544E-7
G( 6, 0)= 2.41861580E-8
G( 7, 0)= 9.16106307E-10
G( 8, 0)=-1.82542777E-11
G( 9, 0)=-8.30494552E-12
G(10, 0)=-5.95119738E-13
G( 0, 2)= 0.00271945898
G( 1, 2)= 0.00150978878
G( 2, 2)= 2.19403095E-5
G( 3, 2)=-5.68346152E-6
G( 4, 2)= 1.57344375E-7
G( 5, 2)= 2.44319490E-9
G( 6, 2)=-7.94275803E-11
G( 7, 2)= 6.53926004E-12
G( 8, 2)=-2.68441366E-13
G( 0, 4)=-7.87874988E-6
G( 1, 4)=-3.97683655E-6
G( 2, 4)= 1.49214267E-7
G( 3, 4)= 4.36088480E-9
G( 4, 4)=-3.22491761E-10
G( 5, 4)=-1.69947160E-12
G( 6, 4)=-9.29999105E-14
G( 0, 6)= 2.45107229E-8
G( 1, 6)= 2.14023344E-9
G( 2, 6)=-1.03486338E-11
G( 3, 6)=-1.37286624E-11
G( 4, 6)=-1.19373582E-12
G( 0, 8)=-1.76768030E-11
G( 1, 8)=-1.05560579E-11
G( 2, 8)=-1.81191389E-12
G( 0,10)= 3.43787692E-14
N'= 1.52729,νd=56.38
【０１１０】
Ｓ６＄〈レンズＬ１の射出側面〉
［座標］
O  :   37.53799 ,  -41.61062 ,    0.00000
VX : 0.75740764 ,-0.65294232 , 0.00000000
VY : 0.65294232 , 0.75740764 , 0.00000000
N = 1.52729,νd=56.38
C0= 0.00000000(r=∞)
［非球面データ］
ε=1.00000
G( 2, 0)=-0.00153100721
G( 3, 0)= 5.98626993E-6
G( 4, 0)= 1.61386599E-5
G( 5, 0)=-7.14550554E-7
G( 6, 0)= 3.48908548E-8
G( 0, 2)= 0.00745727210
G( 1, 2)= 0.00159914734
G( 2, 2)=-2.31181000E-5
G( 3, 2)=-4.52346475E-6
G( 4, 2)= 1.73803253E-7
G( 0, 4)=-2.14422100E-5
G( 1, 4)=-3.88410353E-6
G( 2, 4)= 9.53281392E-8
G( 0, 6)= 1.83495540E-8
N'= 1.00000
【０１１１】
Ｓ７＄〈第３曲面ミラーＭ３〉
［座標］
O  :   61.65399 ,  -67.54286 ,    0.00000
VX : 0.73874916 ,-0.67398047 , 0.00000000
VY : 0.67398047 , 0.73874916 , 0.00000000
N = 1.00000
C0= 0.00261459(r=382.4695)
［非球面データ］
ε=0.937079340
G( 2, 0)= 0.00206350053
G( 3, 0)=-7.82554975E-5
G( 4, 0)= 1.00811694E-6
G( 5, 0)=-1.83328813E-9
G( 6, 0)=-5.20363224E-10
G( 7, 0)= 8.12522152E-11
G( 8, 0)=-4.67850933E-12
G( 9, 0)=-2.98048933E-13
G(10, 0)=-3.71806758E-15
G( 0, 2)= 0.000409668464
G( 1, 2)= 6.75737399E-5
G( 2, 2)= 2.72470472E-5
G( 3, 2)= 6.85306319E-7
G( 4, 2)= 1.66222167E-8
G( 5, 2)= 7.57237767E-10
G( 6, 2)=-3.24202574E-11
G( 7, 2)=-2.35360103E-12
G( 8, 2)=-3.37472250E-14
G( 0, 4)= 8.22136263E-6
G( 1, 4)= 1.49151597E-7
G( 2, 4)= 4.09938867E-8
G( 3, 4)= 4.68068345E-9
G( 4, 4)= 1.78603064E-10
G( 5, 4)= 4.12554515E-12
G( 6, 4)= 5.44945607E-14
G( 0, 6)= 3.28606994E-8
G( 1, 6)= 5.20899027E-9
G( 2, 6)= 3.07619742E-10
G( 3, 6)= 1.07547381E-11
G( 4, 6)= 2.10434714E-13
G( 0, 8)=-6.40125927E-11
G( 1, 8)=-8.32728638E-12
G( 2, 8)=-2.65096517E-13
G( 0,10)= 3.87702065E-14
N'=-1.00000
【０１１２】
Ｓ８＄〈第４曲面ミラーＭ４〉
［座標］
O  :   24.03468 ,  -43.79535 ,    0.00000
VX :-0.95672122 , 0.29100602 , 0.00000000
VY : 0.29100602 , 0.95672122 , 0.00000000
N = 1.00000
C0= 0.07127908(r=14.0294)
［非球面データ］
ε=-0.705145844
G( 2, 0)=-0.0155388033
G( 3, 0)=-0.000221939515
G( 4, 0)=-1.84532487E-6
G( 5, 0)= 3.24226709E-9
G( 6, 0)= 1.33274680E-10
G( 7, 0)=-1.08208954E-12
G( 8, 0)=-1.92005530E-14
G( 9, 0)= 7.44278784E-17
G(10, 0)= 1.25307151E-18
G( 0, 2)=-0.0164378355
G( 1, 2)=-0.000393394180
G( 2, 2)=-7.94003282E-6
G( 3, 2)=-7.42218351E-8
G( 4, 2)= 3.44383238E-10
G( 5, 2)= 5.05104575E-12
G( 6, 2)=-1.83446687E-13
G( 7, 2)=-3.01640382E-15
G( 8, 2)=-1.22987466E-17
G( 0, 4)= 9.83130260E-7
G( 1, 4)= 2.18412129E-8
G( 2, 4)= 1.30192993E-9
G( 3, 4)= 2.66788212E-11
G( 4, 4)=-1.99116200E-13
G( 5, 4)=-1.00235280E-14
G( 6, 4)=-7.21176301E-17
G( 0, 6)= 1.58954600E-9
G( 1, 6)= 1.46771101E-10
G( 2, 6)= 4.40398590E-12
G( 3, 6)= 5.85229803E-14
G( 4, 6)= 2.97903698E-16
G( 0, 8)=-1.95625493E-13
G( 1, 8)=-1.00598483E-14
G( 2, 8)=-1.02890189E-16
G( 0,10)=-4.09691066E-18
N'=-1.00000
【０１１３】
Ｓ９〈平面ミラーＭＦ〉
［座標］
O  :  400.00000 , -493.60714 ,    0.00000
VX :-0.04922367 ,-0.99878778 , 0.00000000
VY :-0.99878778 , 0.04922367 , 0.00000000
N = 1.00000
C0= 0.00000000(r=∞)
N'=-1.00000
【０１１４】
Ｓｉ〈スクリーン面〉
［座標］
O  :  166.62163 , -212.70667 ,    0.00000
VX : 0.97459287 , 0.22398380 , 0.00000000
VY :-0.22398380 , 0.97459287 , 0.00000000
【０１１５】
〈仮想絞りデータ〉
［座標］
O  :100400.00000,-10552.50000,    0.00000
VX : 1.00000000 , 0.00000000 , 0.00000000
VY : 0.00000000 , 1.00000000 , 0.00000000
N = 1.00000
C0= 0.00000000(r=∞),R=18221.4
N'= 1.00000
【０１１６】
《実施例５のコンストラクションデータ》
Ｓｏ〈パネル表示面〉
［座標］
O  :    0.00000 ,    0.00000 ,    0.00000
VX : 1.00000000 , 0.00000000 , 0.00000000
VY : 0.00000000 , 1.00000000 , 0.00000000
N = 1.00000
C0= 0.00000000(r=∞)
N'= 1.00000
T'= 0.47
【０１１７】
Ｓ１〈カバーガラスＣＧの入射側面〉
N = 1.00000
C0= 0.00000000(r=∞)
N'= 1.51872,νd=64.20
T'= 3
【０１１８】
Ｓ２〈カバーガラスＣＧの射出側面〉
N = 1.51872,νd=64.20
C0= 0.00000000(r=∞)
N'= 1.00000
【０１１９】
Ｓ３＄〈レンズＬ１の入射側面〉
［座標］
O  :   20.00000 ,   -1.31837 ,    0.00000
VX : 0.99899454 ,-0.04483192 , 0.00000000
VY : 0.04483192 , 0.99899454 , 0.00000000
N = 1.00000
C0= 0.00000000(r=∞)
［非球面データ］
ε=1.00000000
G( 2, 0)= 1.79159514E-5
G( 3, 0)=-0.000287877429
G( 4, 0)= 4.92552574E-6
G( 5, 0)= 1.09935845E-6
G( 6, 0)= 7.15877008E-8
G( 7, 0)=-1.57073057E-8
G( 8, 0)=-1.92108065E-9
G( 9, 0)= 1.17281673E-10
G(10, 0)= 1.51478742E-11
G( 0, 2)= 0.000908053438
G( 1, 2)=-0.000174143474
G( 2, 2)= 5.88030150E-6
G( 3, 2)= 9.92783275E-7
G( 4, 2)=-9.30451112E-9
G( 5, 2)=-4.98543520E-9
G( 6, 2)=-4.12272060E-10
G( 7, 2)= 4.43649742E-11
G( 8, 2)= 4.13497218E-12
G( 0, 4)=-7.87562372E-7
G( 1, 4)= 8.18359773E-7
G( 2, 4)= 7.68935038E-8
G( 3, 4)=-2.67636522E-9
G( 4, 4)=-3.34258701E-10
G( 5, 4)=-3.63256950E-11
G( 6, 4)= 1.32262748E-12
G( 0, 6)= 9.66974935E-9
G( 1, 6)=-7.10625930E-9
G( 2, 6)=-1.31689470E-9
G( 3, 6)=-1.58414704E-11
G( 4, 6)=-2.44976357E-12
G( 0, 8)=-9.39903109E-11
G( 1, 8)= 3.16239598E-11
G( 2, 8)= 5.48821504E-12
G( 0,10)= 2.78352425E-13
N'= 1.52729,νd=56.38
【０１２０】
Ｓ４〈レンズＬ１の射出側面〉
［座標］
O  :   22.28159 ,   -6.23973 ,    0.00000
VX : 0.99899454 ,-0.04483192 , 0.00000000
VY : 0.04483192 , 0.99899454 , 0.00000000
N = 1.52729,νd=56.38
C0= 0.00000000(r=∞)
N'= 1.00000
【０１２１】
Ｓ５〈第１曲面ミラーＭ１〉
［座標］
O  :   88.06662 ,   -9.08073 ,    0.00000
VX : 0.99588376 , 0.09063960 , 0.00000000
VY :-0.09063960 , 0.99588376 , 0.00000000
N = 1.00000
C0=-0.00924700(r=-108.1431)
N'=-1.00000
【０１２２】
Ｓ６＄〈レンズＬ２の入射側面〉
［座標］
O  :   31.08722 ,  -24.28952 ,    0.00000
VX :-0.99386670 ,-0.11058471 , 0.00000000
VY :-0.11058471 , 0.99386670 , 0.00000000
N = 1.00000
C0= 0.00000000(r=∞)
［非球面データ］
ε=1.00000000
G( 2, 0)= 0.000580901839
G( 3, 0)= 7.25404078E-5
G( 4, 0)= 3.41316892E-7
G( 5, 0)= 4.56627542E-9
G( 6, 0)=-2.41336512E-8
G( 7, 0)= 2.94083353E-10
G( 8, 0)= 2.50880553E-10
G( 9, 0)=-2.46061591E-12
G(10, 0)=-9.26598606E-13
G( 0, 2)= 0.000597757534
G( 1, 2)= 4.85768027E-5
G( 2, 2)=-1.37913590E-6
G( 3, 2)= 2.57845188E-7
G( 4, 2)= 3.26300907E-8
G( 5, 2)=-5.48104327E-9
G( 6, 2)=-5.40495256E-10
G( 7, 2)= 3.23176155E-11
G( 8, 2)= 2.81382402E-12
G( 0, 4)=-8.79826924E-8
G( 1, 4)= 1.22848767E-7
G( 2, 4)= 2.31039983E-8
G( 3, 4)=-8.71377457E-9
G( 4, 4)=-1.12148354E-9
G( 5, 4)= 9.63500043E-11
G( 6, 4)= 1.01769860E-11
G( 0, 6)=-1.31572154E-9
G( 1, 6)=-1.63723169E-9
G( 2, 6)=-2.93950187E-10
G( 3, 6)= 7.15757319E-11
G( 4, 6)= 9.65446677E-12
G( 0, 8)= 8.13618708E-12
G( 1, 8)= 6.47038170E-12
G( 2, 8)= 1.38282972E-12
N'= 1.52729,νd=56.38
【０１２３】
Ｓ７〈レンズＬ２の射出側面〉
［座標］
O  :   28.30128 ,  -21.85833 ,    0.00000
VX :-0.99386670 ,-0.11058471 , 0.00000000
VY :-0.11058471 , 0.99386670 , 0.00000000
N = 1.52729,νd=56.38
C0= 0.00000000(r=∞)
N'= 1.00000
【０１２４】
Ｓ８〈第２曲面ミラーＭ２〉
［座標］
O  :    7.28104 ,  -32.66251 ,    0.00000
VX :-0.97383895 , 0.22723929 , 0.00000000
VY : 0.22723929 , 0.97383895 , 0.00000000
N = 1.00000
C0= 0.00647478(r=154.4453)
N'=-1.00000
【０１２５】
Ｓ９＄〈第３曲面ミラーＭ３〉
［座標］
O  :   61.49942 , -102.33885 ,    0.00000
VX : 0.99788549 ,-0.06499647 , 0.00000000
VY : 0.06499647 , 0.99788549 , 0.00000000
N = 1.00000
C0= 0.00000000(r=∞)
［非球面データ］
ε=1.00000000
G( 2, 0)= 0.00197072795
G( 3, 0)=-3.81202793E-5
G( 4, 0)= 1.19272141E-6
G( 5, 0)=-5.38542004E-8
G( 6, 0)= 1.41360965E-9
G( 7, 0)=-3.82550826E-11
G( 8, 0)= 1.47325851E-12
G( 9, 0)=-3.45413601E-14
G(10, 0)= 3.04119486E-16
G( 0, 2)= 0.000872013793
G( 1, 2)=-0.000104850044
G( 2, 2)= 1.80536979E-6
G( 3, 2)=-9.01314495E-8
G( 4, 2)= 5.95985549E-9
G( 5, 2)=-1.60308945E-10
G( 6, 2)= 5.59550963E-13
G( 7, 2)= 4.70144456E-14
G( 8, 2)=-5.63042088E-16
G( 0, 4)= 6.89777556E-7
G( 1, 4)= 1.20833762E-8
G( 2, 4)= 4.77512494E-9
G( 3, 4)=-3.42692563E-10
G( 4, 4)= 8.05014636E-12
G( 5, 4)=-2.89407589E-14
G( 6, 4)=-8.46251679E-16
G( 0, 6)= 2.63205584E-9
G( 1, 6)=-2.72192836E-10
G( 2, 6)= 6.25157761E-12
G( 3, 6)=-4.24505377E-14
G( 4, 6)= 4.39725575E-16
G( 0, 8)=-2.27825918E-12
G( 1, 8)= 2.46764250E-13
G( 2, 8)=-4.64738423E-15
G( 0,10)= 9.77973547E-16
N'=-1.00000
【０１２６】
Ｓ１０＄〈第４曲面ミラーＭ４〉
［座標］
O  :   -4.63688 ,  -83.29060 ,    0.00000
VX :-0.85553880 ,-0.51773870 , 0.00000000
VY :-0.51773870 , 0.85553880 , 0.00000000
N = 1.00000
C0= 0.03912606(r=25.5584)
［非球面データ］
ε=-1.38364722
G( 2, 0)=-0.00302387018
G( 3, 0)=-4.38369235E-5
G( 4, 0)=-4.36969411E-7
G( 5, 0)=-2.43344649E-9
G( 6, 0)=-4.87450265E-11
G( 7, 0)= 2.71998456E-13
G( 8, 0)= 9.46283073E-15
G( 9, 0)=-1.52901684E-16
G(10, 0)=-2.19268717E-18
G( 0, 2)=-0.00464773078
G( 1, 2)=-0.000224005932
G( 2, 2)=-5.57085914E-6
G( 3, 2)=-3.97620569E-8
G( 4, 2)=-7.15380509E-11
G( 5, 2)=-6.60629040E-12
G( 6, 2)=-6.52115253E-14
G( 7, 2)= 1.26650561E-15
G( 8, 2)= 1.56465235E-17
G( 0, 4)=-2.78795172E-6
G( 1, 4)=-2.24726148E-8
G( 2, 4)= 8.82688577E-10
G( 3, 4)= 4.72263924E-12
G( 4, 4)= 2.95922334E-14
G( 5, 4)=-2.84662443E-16
G( 6, 4)=-2.54730586E-17
G( 0, 6)= 4.95849418E-9
G( 1, 6)= 1.09694734E-10
G( 2, 6)=-3.29505803E-13
G( 3, 6)=-2.07116324E-16
G( 4, 6)= 1.88426761E-16
G( 0, 8)=-4.17748617E-12
G( 1, 8)=-1.53614451E-13
G( 2, 8)=-1.36086540E-15
G( 0,10)=-1.00176596E-17
N'=-1.00000
【０１２７】
Ｓ１１〈平面ミラーＭＦ〉
［座標］
O  :  400.00000 , -389.48956 ,    0.00000
VX : 0.67402959 ,-0.73870434 , 0.00000000
VY : 0.73870434 , 0.67402959 , 0.00000000
N = 1.00000
C0= 0.00000000(r=∞)
N'=-1.00000
【０１２８】
Ｓｉ〈スクリーン面〉
［座標］
O  :  309.46105 ,  -97.78205 ,    0.00000
VX : 0.53942016 , 0.84203675 , 0.00000000
VY :-0.84203675 , 0.53942016 , 0.00000000
【０１２９】
〈仮想絞りデータ〉
［座標］
O  :100400.00000,-10552.50000,    0.00000
VX : 1.00000000 , 0.00000000 , 0.00000000
VY : 0.00000000 , 1.00000000 , 0.00000000
N = 1.00000
C0= 0.00000000(r=∞),R=18221.4
N'= 1.00000
【０１３０】
《実施例６のコンストラクションデータ》
Ｓｏ〈パネル表示面〉
［座標］
O  :    0.00000 ,    0.00000 ,    0.00000
VX : 1.00000000 , 0.00000000 , 0.00000000
VY : 0.00000000 , 1.00000000 , 0.00000000
N = 1.00000
C0= 0.00000000(r=∞)
N'= 1.00000
T'= 0.47
【０１３１】
Ｓ１〈カバーガラスＣＧの入射側面〉
N = 1.00000
C0= 0.00000000(r=∞)
N'= 1.51045,νd=61.19
T'= 3
【０１３２】
Ｓ２〈カバーガラスＣＧの射出側面〉
N = 1.51045,νd=61.19
C0= 0.00000000(r=∞)
N'= 1.00000
【０１３３】
Ｓ３〈第１曲面ミラーＭ１〉
［座標］
O  :   48.96700 ,  -14.20240 ,    0.00000
VX : 1.00000000 , 0.00000000 , 0.00000000
VY : 0.00000000 , 1.00000000 , 0.00000000
N = 1.00000
C0=-0.01546350(r=-64.6684)
N'=-1.00000
【０１３４】
Ｓ４＄〈レンズＬ１の入射側面〉
［座標］
O  :   19.23000 ,  -16.96300 ,    0.00000
VX :-0.81867000 ,-0.57426426 , 0.00000000
VY :-0.57426426 , 0.81867000 , 0.00000000
N = 1.00000
C0= 0.00000000(r=∞)
［非球面データ］
ε=1.00000
G( 3, 0)= 0.000207464
G( 4, 0)= 1.14246E-5
G( 5, 0)= 1.20494E-6
G( 6, 0)= 1.06696E-7
G( 7, 0)=-3.02936E-8
G( 8, 0)=-4.41178E-9
G( 9, 0)= 3.41721E-10
G(10, 0)= 5.54915E-11
G( 1, 2)= 0.000162314
G( 2, 2)= 1.4371E-5
G( 3, 2)=-4.27162E-7
G( 4, 2)=-7.39006E-7
G( 5, 2)= 3.49685E-8
G( 6, 2)= 2.42461E-8
G( 7, 2)=-7.2984E-10
G( 8, 2)=-2.68712E-10
G( 0, 4)= 8.82019E-7
G( 1, 4)= 2.51879E-8
G( 2, 4)=-7.2353E-7
G( 3, 4)= 6.41671E-9
G( 4, 4)= 5.07206E-8
G( 5, 4)=-9.81886E-10
G( 6, 4)=-8.48865E-10
G( 0, 6)=-1.88006E-8
G( 1, 6)=-8.66998E-9
G( 2, 6)= 2.2825E-8
G( 3, 6)= 7.41986E-11
G( 4, 6)=-8.93265E-10
G( 0, 8)= 4.99054E-11
G( 1, 8)= 1.05376E-10
G( 2, 8)=-2.19821E-10
G( 0,10)= 1.84679E-12
N'= 1.52729,νd=56.38
【０１３５】
Ｓ５〈レンズＬ１の射出側面〉
［座標］
O  :   17.33700 ,  -16.96300 ,    0.00000
VX :-0.81867000 ,-0.57426426 , 0.00000000
VY :-0.57426426 , 0.81867000 , 0.00000000
N = 1.52729,νd=56.38
C0= 0.00000000(r=∞)
N'= 1.00000
【０１３６】
Ｓ６〈第２曲面ミラーＭ２〉
［座標］
O  :   10.07900 ,  -11.37240 ,    0.00000
VX :-0.98620918 , 0.16550365 , 0.00000000
VY : 0.16550365 , 0.98620918 , 0.00000000
N = 1.00000
C0= 0.01306160(r=76.5603)
N'=-1.00000
【０１３７】
Ｓ７＄〈レンズＬ２の入射側面〉
［座標］
O  :   16.28000 ,  -35.77360 ,    0.00000
VX : 0.86028006 ,-0.50982175 , 0.00000000
VY : 0.50982175 , 0.86028006 , 0.00000000
N = 1.00000
C0= 0.00000000(r=∞)
［非球面データ］
ε=1.00000
G( 3, 0)=-0.000174602
G( 4, 0)=-1.03746E-5
G( 5, 0)=-9.46462E-8
G( 6, 0)=-4.79007E-9
G( 7, 0)=-1.24798E-9
G( 8, 0)=-5.10548E-11
G( 9, 0)= 9.2399E-12
G(10, 0)= 6.12688E-13
G( 1, 2)=-0.000108187
G( 2, 2)=-1.04622E-5
G( 3, 2)= 1.05953E-7
G( 4, 2)=-1.72241E-8
G( 5, 2)=-9.05722E-10
G( 6, 2)= 1.54742E-10
G( 7, 2)= 3.46828E-12
G( 8, 2)=-3.61383E-13
G( 0, 4)=-2.00068E-7
G( 1, 4)= 2.70886E-7
G( 2, 4)= 9.59209E-9
G( 3, 4)=-1.1994E-9
G( 4, 4)= 1.34414E-10
G( 5, 4)= 6.66588E-12
G( 6, 4)=-3.33295E-14
G( 0, 6)=-7.93457E-9
G( 1, 6)=-1.01883E-9
G( 2, 6)=-4.19726E-11
G( 3, 6)= 1.21275E-11
G( 4, 6)= 3.18134E-13
G( 0, 8)= 4.3472E-11
G( 1, 8)= 2.41596E-12
G( 2, 8)= 1.25612E-13
G( 0,10)=-9.91337E-14
N'= 1.52729,νd=56.38
【０１３８】
Ｓ８〈レンズＬ２の射出側面〉
［座標］
O  :   17.97600 ,  -35.77360 ,    0.00000
VX : 0.86028006 ,-0.50982175 , 0.00000000
VY : 0.50982175 , 0.86028006 , 0.00000000
N = 1.52729,νd=56.38
C0= 0.00000000(r=∞)
N'= 1.00000
【０１３９】
Ｓ９＄〈第３曲面ミラーＭ３〉
［座標］
O  :   31.19700 ,  -58.89770 ,    0.00000
VX : 0.92716589 ,-0.37465105 , 0.00000000
VY : 0.37465105 , 0.92716589 , 0.00000000
N = 1.00000
C0= 0.00000000(r=∞)
［非球面データ］
ε=1.00000
G( 2, 0)=-0.00253046
G( 3, 0)=-1.98526E-5
G( 4, 0)=-2.21274E-7
G( 5, 0)= 7.4579E-10
G( 6, 0)=-1.3363E-10
G( 7, 0)=-7.42385E-12
G( 8, 0)=-2.08402E-13
G( 9, 0)= 1.94289E-14
G(10, 0)= 8.35298E-16
G( 0, 2)=-0.00256062
G( 1, 2)=-2.29562E-5
G( 2, 2)=-1.41116E-7
G( 3, 2)= 7.99832E-9
G( 4, 2)=-5.9207E-10
G( 5, 2)= 1.91797E-12
G( 6, 2)= 1.29835E-12
G( 7, 2)=-4.28515E-15
G( 8, 2)=-1.13043E-15
G( 0, 4)= 3.42121E-7
G( 1, 4)= 1.4899E-8
G( 2, 4)= 1.16518E-10
G( 3, 4)=-4.61531E-12
G( 4, 4)= 1.0354E-12
G( 5, 4)=-6.46921E-15
G( 6, 4)=-8.90709E-16
G( 0, 6)=-3.34489E-10
G( 1, 6)=-1.39636E-11
G( 2, 6)=-4.17459E-13
G( 3, 6)= 6.3028E-14
G( 4, 6)= 1.89946E-15
G( 0, 8)= 7.81396E-13
G( 1, 8)= 1.05774E-14
G( 2, 8)=-8.59272E-17
G( 0,10)=-8.28409E-16
N'=-1.00000
【０１４０】
Ｓ１０＄〈第４曲面ミラーＭ４〉
［座標］
O  : -242.30500 ,    6.09706 ,    0.00000
VX :-0.98127175 ,-0.19262855 , 0.00000000
VY :-0.19262855 , 0.98127175 , 0.00000000
N = 1.00000
C0= 0.00514069(r=194.5264)
［非球面データ］
ε=1.10289
G( 2, 0)=-0.0199628
G( 3, 0)=-0.000119759
G( 4, 0)=-8.34955E-8
G( 5, 0)=-4.45381E-9
G( 6, 0)=-3.42805E-11
G( 7, 0)= 2.13827E-13
G( 8, 0)= 2.22834E-15
G( 9, 0)= 4.3619E-18
G(10, 0)=-2.1277E-21
G( 0, 2)=-0.0211476
G( 1, 2)=-0.000446694
G( 2, 2)=-2.20143E-6
G( 3, 2)=-2.88962E-8
G( 4, 2)=-4.92707E-10
G( 5, 2)=-2.92292E-12
G( 6, 2)=-1.0437E-14
G( 7, 2)=-5.55082E-17
G( 8, 2)=-1.65605E-19
G( 0, 4)= 5.57039E-7
G( 1, 4)= 5.87362E-8
G( 2, 4)= 3.1969E-10
G( 3, 4)=-5.48985E-13
G( 4, 4)= 1.50246E-14
G( 5, 4)= 1.66907E-16
G( 6, 4)= 3.29182E-19
G( 0, 6)= 1.14858E-9
G( 1, 6)= 5.76017E-12
G( 2, 6)=-4.45395E-15
G( 3, 6)= 2.0592E-16
G( 4, 6)= 1.37957E-18
G( 0, 8)=-2.79787E-13
G( 1, 8)=-2.05258E-15
G( 2, 8)=-5.27482E-18
G( 0,10)= 1.84266E-17
N'=-1.00000
【０１４１】
Ｓ１１〈平面ミラーＭＦ〉
［座標］
O  :   57.66300 ,    0.00000 ,    0.00000
VX : 0.99048024 , 0.13765496 , 0.00000000
VY :-0.13765496 , 0.99048024 , 0.00000000
N = 1.00000
C0= 0.00000000(r=∞)
N'=-1.00000
【０１４２】
Ｓｉ〈スクリーン面〉
［座標］
O  : -144.79156 , -432.04276 ,    0.00000
VX :-0.99048024 ,-0.13765496 , 0.00000000
VY : 0.13765496 ,-0.99048024 , 0.00000000
【０１４３】
〈仮想絞りデータ〉
［座標］
O  :100400.00000,-10552.50000,    0.00000
VX : 1.00000000 , 0.00000000 , 0.00000000
VY : 0.00000000 , 1.00000000 , 0.00000000
N = 1.00000
C0= 0.00000000(r=∞),R=18221.4
N'= 1.00000
【０１４４】
《実施例７のコンストラクションデータ》
Ｓｏ〈パネル表示面〉
［座標］
O  :    0.00000 ,    0.00000 ,    0.00000
VX : 1.00000000 , 0.00000000 , 0.00000000
VY : 0.00000000 , 1.00000000 , 0.00000000
N = 1.00000
C0= 0.00000000(r=∞)
N'= 1.00000
T'= 0.47
【０１４５】
Ｓ１〈カバーガラスＣＧの入射側面〉
N = 1.00000
C0= 0.00000000(r=∞)
N'= 1.51872,νd=64.20
T'= 3
【０１４６】
Ｓ２〈カバーガラスＣＧの射出側面〉
N = 1.51872,νd=64.20
C0= 0.00000000(r=∞)
N'= 1.00000
【０１４７】
Ｓ３〈第１曲面ミラーＭ１〉
［座標］
O  :   72.45471 ,   -7.50698 ,    0.00000
VX : 0.99073620 , 0.13580054 , 0.00000000
VY :-0.13580054 , 0.99073620 , 0.00000000
N = 1.00000
C0=-0.01206016(r=-82.9177)
N'=-1.00000
【０１４８】
Ｓ４＄〈レンズＬ１の入射側面〉
［座標］
O  :   30.51021 ,  -22.14357 ,    0.00000
VX :-0.99382597 ,-0.11095020 , 0.00000000
VY :-0.11095020 , 0.99382597 , 0.00000000
N = 1.00000
C0= 0.00000000(r=∞)
［非球面データ］
ε=1.00000000
G( 2, 0)= 0.000620932631
G( 3, 0)= 6.19504515E-5
G( 4, 0)=-4.77919857E-6
G( 5, 0)=-2.52694993E-7
G( 6, 0)= 2.90055687E-7
G( 7, 0)= 3.67348763E-8
G( 8, 0)=-4.20197238E-9
G( 9, 0)=-9.85113007E-10
G(10, 0)=-4.62895082E-11
G( 0, 2)= 0.000769868063
G( 1, 2)= 3.86684841E-5
G( 2, 2)= 4.13734108E-7
G( 3, 2)= 3.89742350E-7
G( 4, 2)= 1.53405655E-8
G( 5, 2)=-1.94662383E-8
G( 6, 2)=-6.10739748E-10
G( 7, 2)= 3.01120062E-10
G( 8, 2)= 1.99223609E-11
G( 0, 4)= 1.73029783E-7
G( 1, 4)= 1.35800660E-7
G( 2, 4)= 3.35595454E-8
G( 3, 4)=-1.98779982E-8
G( 4, 4)=-2.79634572E-9
G( 5, 4)= 3.83292655E-10
G( 6, 4)= 4.92903037E-11
G( 0, 6)= 3.98504960E-8
G( 1, 6)=-8.76220748E-10
G( 2, 6)=-7.94025570E-10
G( 3, 6)= 2.07808852E-10
G( 4, 6)= 3.87617172E-11
G( 0, 8)=-1.11544584E-9
G( 1, 8)=-1.56764241E-11
G( 2, 8)= 5.79294551E-12
G( 0,10)= 1.01002737E-11
N'= 1.52729,νd=56.38
T'= 2
【０１４９】
Ｓ５〈レンズＬ１の射出側面〉
N = 1.52729,νd=56.38
C0= 0.00000000(r=∞)
N'= 1.00000
【０１５０】
Ｓ６＊〈第２曲面ミラーＭ２〉
［座標］
O  :   13.32137 ,  -23.84864 ,    0.00000
VX :-0.99259447 , 0.12147513 , 0.00000000
VY : 0.12147513 , 0.99259447 , 0.00000000
N = 1.00000
C0= 0.01535417(r=65.1289)
［非球面データ］
ε=3.89368875
A( 4)= 2.44022298E-6
A( 6)=-1.62104288E-8
A( 8)= 5.97794885E-11
A(10)=-9.86471907E-14
A(12)= 9.66494410E-17
N'=-1.00000
【０１５１】
Ｓ７＄〈レンズＬ２の入射側面〉
［座標］
O  :   26.30279 ,  -48.71061 ,    0.00000
VX : 0.78613964 ,-0.61804892 , 0.00000000
VY : 0.61804892 , 0.78613964 , 0.00000000
N = 1.00000
C0= 0.00000000(r=∞)
［非球面データ］
ε=1.00000000
G( 2, 0)= 0.00108846673
G( 3, 0)= 4.69128435E-5
G( 4, 0)=-1.48895726E-5
G( 5, 0)=-1.49762773E-7
G( 6, 0)= 1.63538283E-8
G( 7, 0)=-2.28470576E-9
G( 8, 0)= 3.13561060E-11
G( 9, 0)= 1.13171702E-11
G(10, 0)=-1.01710753E-13
G( 0, 2)=-0.000245960274
G( 1, 2)=-9.15189267E-5
G( 2, 2)=-1.76108450E-5
G( 3, 2)= 5.23832153E-7
G( 4, 2)= 4.21056426E-8
G( 5, 2)=-1.20077211E-10
G( 6, 2)= 2.53475637E-10
G( 7, 2)=-4.04423075E-12
G( 8, 2)=-4.11283650E-13
G( 0, 4)= 2.44799035E-6
G( 1, 4)= 7.59196854E-7
G( 2, 4)= 4.85209213E-8
G( 3, 4)=-2.54549450E-9
G( 4, 4)=-1.81366745E-10
G( 5, 4)=-6.87728649E-12
G( 6, 4)=-4.79628765E-13
G( 0, 6)=-4.65114056E-9
G( 1, 6)=-1.35057051E-9
G( 2, 6)=-1.61443935E-10
G( 3, 6)=4.68707904E-12
G( 4, 6)= 7.87731950E-13
G( 0, 8)= 1.17172060E-11
G( 1, 8)= 1.14861586E-12
G( 2, 8)= 2.04277867E-13
G( 0,10)=-3.66571456E-14
N'= 1.52729,νd=56.38
T'= 2
【０１５２】
Ｓ８〈レンズＬ２の射出側面〉
N = 1.52729,νd=56.38
C0= 0.00000000(r=∞)
N'= 1.00000
【０１５３】
Ｓ９＄〈第３曲面ミラーＭ３〉
［座標］
O  :   73.30020 ,  -91.64368 ,    0.00000
VX : 0.94936971 ,-0.31416105 , 0.00000000
VY : 0.31416105 , 0.94936971 , 0.00000000
N = 1.00000
C0=-0.01205945(r=-82.9225)
［非球面データ］
ε=-5.42920171
G( 2, 0)= 0.00331198982
G( 3, 0)=-3.67342456E-5
G( 4, 0)=-1.28317910E-6
G( 5, 0)= 7.53260283E-9
G( 6, 0)= 4.16617872E-10
G( 7, 0)=-4.82087538E-13
G( 8, 0)=-7.42417239E-14
G( 9, 0)= 5.20648904E-18
G(10, 0)= 5.24506049E-18
G( 0, 2)= 0.00227083430
G( 1, 2)=-4.99686705E-5
G( 2, 2)=-1.68188172E-6
G( 3, 2)= 2.27034944E-8
G( 4, 2)= 9.92288688E-10
G( 5, 2)=-2.73189011E-12
G( 6, 2)=-3.28452909E-13
G( 7, 2)=-1.69512931E-15
G( 8, 2)= 2.91970992E-17
G( 0, 4)=-4.33756552E-7
G( 1, 4)= 8.77736841E-9
G( 2, 4)= 7.42904458E-10
G( 3, 4)=-7.95677364E-12
G( 4, 4)=-6.14021506E-13
G( 5, 4)=-3.33739126E-15
G( 6, 4)= 6.24746526E-17
G( 0, 6)= 4.77931802E-10
G( 1, 6)= 1.01763365E-11
G( 2, 6)=-2.62298257E-13
G( 3, 6)=-1.78104854E-15
G( 4, 6)= 1.20581039E-16
G( 0, 8)=-1.60013918E-13
G( 1, 8)=-6.33524359E-15
G( 2, 8)=-4.96702645E-17
G( 0,10)= 1.74808382E-18
N'=-1.00000
【０１５４】
Ｓ１０＄〈第４曲面ミラーＭ４〉
［座標］
O  :   11.80997 ,  -86.84980 ,    0.00000
VX :-0.94219440 ,-0.33506672 , 0.00000000
VY :-0.33506672 , 0.94219440 , 0.00000000
N = 1.00000
C0= 0.05972131(r=16.7444)
［非球面データ］
ε=-3.74769581
G( 2, 0)= 0.0383298588
G( 3, 0)= 0.00183499516
G( 4, 0)= 6.99024075E-5
G( 5, 0)= 1.84669364E-6
G( 6, 0)= 2.43089081E-8
G( 7, 0)=-1.17597921E-10
G( 8, 0)=-8.99121629E-12
G( 9, 0)=-1.16069875E-13
G(10, 0)=-5.00510475E-16
G( 0, 2)= 0.00758448200
G( 1, 2)=-0.000275731289
G( 2, 2)=-3.55311731E-5
G( 3, 2)=-9.96144588E-7
G( 4, 2)=-6.97586514E-9
G( 5, 2)=-5.97734357E-11
G( 6, 2)=-9.82775860E-12
G( 7, 2)=-2.54799046E-13
G( 8, 2)=-1.95425134E-15
G( 0, 4)=-5.53394640E-6
G( 1, 4)= 6.19008684E-7
G( 2, 4)= 9.94304175E-8
G( 3, 4)= 5.10286577E-9
G( 4, 4)= 1.30800595E-10
G( 5, 4)= 1.71070619E-12
G( 6, 4)= 9.12297873E-15
G( 0, 6)= 7.60407915E-9
G( 1, 6)= 5.28646932E-10
G( 2, 6)= 1.41888486E-11
G( 3, 6)= 1.67826127E-13
G( 4, 6)= 7.52610385E-16
G( 0, 8)=-1.60151346E-12
G( 1, 8)=-6.85129262E-14
G( 2, 8)=-8.64633191E-16
G( 0,10)= 9.46099268E-17
N'=-1.00000
【０１５５】
Ｓ１１〈平面ミラーＭＦ〉
［座標］
O  :  400.00000 , -480.36765 ,    0.00000
VX : 0.29206022 ,-0.95639993 , 0.00000000
VY : 0.95639993 , 0.29206022 , 0.00000000
N = 1.00000
C0= 0.00000000(r=∞)
N'=-1.00000
【０１５６】
Ｓｉ〈スクリーン面〉
［座標］
O  :  230.25125 , -168.00993 ,    0.00000
VX : 0.86354784 , 0.50426691 , 0.00000000
VY :-0.50426691 , 0.86354784 , 0.00000000
【０１５７】
〈仮想絞りデータ〉
［座標］
O  :100400.00000,-10552.50000,    0.00000
VX : 1.00000000 , 0.00000000 , 0.00000000
VY : 0.00000000 , 1.00000000 , 0.00000000
N = 1.00000
C0= 0.00000000(r=∞),R=18221.4
N'= 1.00000
【０１５８】
【表１】
2006178406.tif 000003
【０１５９】
【表２】
2006178406.tif 000004
【図面の簡単な説明】
【０１６０】
【図１】第１の実施の形態(実施例１)の光学構成を示す光路図。
【図２】第２の実施の形態(実施例２)の光学構成を示す光路図。
【図３】第３の実施の形態(実施例３)の光学構成を示す光路図。
【図４】第４の実施の形態(実施例４)の光学構成を示す光路図。
【図５】第５の実施の形態(実施例５)の光学構成を示す光路図。
【図６】第６の実施の形態(実施例６)の光学構成を示す光路図。
【図７】実施例１のスポットダイアグラム。
【図８】実施例２のスポットダイアグラム。
【図９】実施例３のスポットダイアグラム。
【図１０】実施例４のスポットダイアグラム。
【図１１】実施例５のスポットダイアグラム。
【図１２】実施例６のスポットダイアグラム。
【図１３】平面ミラーでの光路１回折りの光学構成例を示す光路図。
【図１４】平面ミラーでの光路２回折りの光学構成例を示す光路図。
【図１５】第７の実施の形態(実施例７)の光学構成を示す光路図。
【図１６】実施例７のスポットダイアグラム。
【符号の説明】
【０１６１】
Ｓｏ    パネル表示面
Ｓｉ    スクリーン面
ＣＧ    カバーガラス
Ｍ１    第１曲面ミラー(曲面反射面を有する反射型光学素子)
Ｍ２    第２曲面ミラー(曲面反射面を有する反射型光学素子)
Ｍ３    第３曲面ミラー(曲面反射面を有する反射型光学素子)
Ｍ４    第４曲面ミラー(曲面反射面を有する反射型光学素子)
ＭＦ，ＭＦ１，ＭＦ２    平面ミラー(平面反射面を有する反射型光学素子)
Ｌ１，Ｌ２    レンズ(収差補正屈折面を有する透過型光学素子)
【図１】
2006178406.tif 000005
【図２】
2006178406.tif 000006
【図３】
2006178406.tif 000007
【図４】
2006178406.tif 000008
【図５】
2006178406.tif 000009
【図６】
2006178406.tif 000010
【図７】
2006178406.tif 000011
【図８】
2006178406.tif 000012
【図９】
2006178406.tif 000013
【図１０】
2006178406.tif 000014
【図１１】
2006178406.tif 000015
【図１２】
2006178406.tif 000016
【図１３】
2006178406.tif 000017
【図１４】
2006178406.tif 000018
【図１５】
2006178406.tif 000019
【図１６】
2006178406.tif 000020